【事件の表示】
　特許第３４１２８２３号「コンピュータ接続システム」の請求項１ないし４０に係る特許に対する特許異議の申立てについて、次のとおり決定する。
【結　論】
　訂正を認める。
　特許第３４１２８２３号の請求項１ないし４０に係る特許を維持する。
【理　由】
第１．手続の経緯
　本件特許３４１２８２３号の請求項１〜４０に係る発明についての出願は、１９９６年８月２２日（パリ条約による優先権主張外国庁受理１９９５年８月２５日、米国）を国際出願日とする出願であって、平成１５年３月２８日にその発明について特許権の設定登録がなされ、その後、異議申立人鮫島金治より特許異議の申立がなされ、取消しの理由が通知され、その指定期間内である平成１６年１０月６日に訂正請求がなされたものである。
　
　
第２．訂正の適否
　
１．訂正の要旨
　平成１６年１０月６日付け訂正請求書により訂正する訂正事項は、以下のとおりである。
　
訂正事項(1)
　特許第３４１２８２３号発明の明細書中、特許請求の範囲の請求項１を「キーボード、マウスおよびビデオモニタを具備している多数のワークステーションを多数の遠隔地コンピュータシステムに接続するシステムにおいて、
　ワークステーションに結合され、キーボードおよびマウスによって生成された電気信号を受信して、その電気信号を含む直列データパケットを生成する複数の第１の信号調整装置と、
　第１の信号調整装置と中央交差点スイッチとの間に結合され、第１の信号調整装置により生成された前記直列データパケットを伝送する複数の第１の通信リンクと、
　多数の双方向入力部および出力部を含んでおり、入力部から第１の通信リンクによって伝送された直列データパケットを受信し、前記出力部の１以上のものに直列データパケットを導く中央交差点スイッチと、
　中央交差点スイッチに結合された複数の第２の通信リンクと、
　それぞれ遠隔地コンピュータシステムに結合され、さらに前記複数の第２の通信リンクの１つに結合されて第２の通信リンクにより伝送された直列データパケットを受信し、遠隔地コンピュータのキーボードおよびマウス入力にそのデータパケットを供給し、また遠隔地コンピュータシステムによって生成されたビデオ信号を受信して、複数の第２の通信リンクの１つで中央交差点スイッチにそのビデオ信号を送信する複数の第２の信号調整装置と、
　ビデオ信号は赤色、緑色および青色ビデオ信号、並びに水平および垂直同期信号を含み、また各第２の信号調整装置は、ビデオ信号が中央スイッチに送信される前に、赤色、緑色または青色ビデオ信号のうちの２つに水平および垂直同期信号を符号化するエンコーダ回路を含み、
　第１の信号調整装置のうちの対応する１つに含まれるスクリーン上プログラミング回路と、スクリーン上プログラミング回路は中央スイッチを制御するためにワークステーションのビデオモニタ上にプロンプトを視覚的に表示する重畳されるビデオ信号を生成し、ここでプロンプトはメニューであり、
　ワークステーションと遠隔地に設置されたコンピュータとの間の現在の通信を中止させそしてワークステーションと遠隔地に設置された異なるコンピュータとの間の通信を行なわさせる中央スイッチ内の制御回路と、
　を具備するシステム。」と訂正する。
　
訂正事項(2)
　特許第３４１２８２３号発明の明細書中、特許請求の範囲の請求項７を「キーボードと、カーソル制御装置と、ビデオモニタとを具備しているワークステーションを多数の遠隔地に設置されたコンピュータに接続するシステムにおいて、
　多数の入力部で受信された信号を多数の出力部に接続するプログラム可能な中央スイッチと、
　ワークステーションのキーボードおよびカーソル制御装置によって生成された信号を受信し、かつキーボードおよびカーソル制御信号を中央スイッチの入力部に送信し、また中央スイッチを制御するためワークステーションのビデオモニタ上にプロンプトを視覚的に表示する重畳されるビデオ信号を生成するスクリーン上プログラミング回路と、ここでプロンプトはメニューであり、表示されたビデオ信号に応答して入力されたキーボードと、カーソル制御装置信号を検出する手段と、それによってワークステーションと遠隔地に設置されたコンピュータとの間の現在の通信を中止させ、そしてワークステーションと遠隔地に設置された異なるコンピュータとの間の通信を行なわせる中央スイッチの動作を制御するために重畳されたビデオ信号に応答して入力されたキーボードおよびカーソル制御信号を中央スイッチに送信する手段とを含んでいる第１の信号調整回路と、
　遠隔地に設置されたコンピュータに結合され、中央スイッチの出力からキーボードおよびカーソル制御装置信号を受信して、キーボードおよびカーソル制御装置信号を遠隔地コンピュータに供給する第２の信号調整回路と、
　前記第１および第２の信号調整回路のそれぞれと中央スイッチとの間で信号を伝送させる手段とを具備しているシステム。」と訂正する。
　
訂正事項(3)
　特許第３４１２８２３号発明の明細書中、特許請求の範囲の請求項１４を「キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータによって生成されたビデオ信号をワークステーションに導くように切替えが制御されるスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、前記切替えが制御されるスイッチから送信されたキーボードおよびカーソル制御信号を受信してそれらキーボードおよびカーソル制御信号を遠隔地に設置されたコンピュータに供給し、また遠隔地に設置されたコンピュータによって生成されたビデオ信号を受信し、そのビテオ信号を前記切替えが制御されるスイッチに送信する第２の信号調整回路と、
　前記第１および第２の信号調整回路のそれぞれと中央スイッチとの間で信号を伝送させる手段とを具備し、
　前記第１の信号調整回路は、
　　水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　　重畳されたビデオ信号に応答して入力されたキーボードおよびカーソル制御信号を検出する手段と、
　　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳された信号に応答して入力されたキーボードおよびカーソル制御信号を前記切替えが制御されるスイッチに送信する手段とを具備しているシステム。」と訂正する。
　
訂正事項(4)
　特許第３４１２８２３号発明の明細書中、特許請求の範囲の請求項１７を「キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータにより生成されたビデオ信号をワークステーションに導くプログラム可能な中央スイッチと、
　ワークステーションにおいて生成されたキーボードおよびカーソル制御装置信号を受信し、かつキーボードおよびカーソル制御信号をプログラム可能な中央スイッチに送信する第１の信号調整回路と、
　遠隔地に設置されたコンピュータに結合され、プログラム可能な中央スイッチから送信されたキーボードおよびカーソル制御信号を受信し、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　　前記第１の信号調整回路は、水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平または垂直同期信号を受信して、選択された水平および垂直同期信号を活性ロー論理レベルに変換する同期ポラライザ回路と、
　　重畳されたビデオ信号に応答して入力されたキーボードおよびカーソル制御信号を検出する手段と、
　　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳されたビデオ信号に応答して入力されたキーボードおよびカーソル制御信号をプログラム可能なスイッチに送信する手段とを具備しているシステム。」と訂正する。
　
訂正事項(5)
　特許第３４１２８２３号発明の明細書中、特許請求の範囲の請求項１８を「キーボードと、カーソル制御装置と、ビデオモニタとを具備しているワークステーションを少なくとも１つの遠隔地に設置されたコンピュータに接続するシステムにおいて、
　前記キーボードおよびカーソル制御装置から前記遠隔地に設置されたコンピュータに信号を導き、かつ遠隔地に設置されたコンピュータによって生成されたビデオ信号をワークステーションに導くプログラム可能なスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、プログラム可能なスイッチから送信されたキーボードおよびカーソル制御信号を受信して、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　　前記第１の信号調整回路は、水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　　重畳されたビデオ信号に応答して入力されたキーボードおよびカーソル制御信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して入力されたキーボードおよびカーソル制御信号をプログラム可能なスイッチに送信する手段とを具備しているシステム。」と訂正する。
　
訂正事項(6)
　特許第３４１２８２３号発明の明細書中、特許請求の範囲の請求項１９を「キーボードと、カーソル制御装置と、ビデオモニタとを具備しているワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信して、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチと
の間で信号を伝送させる手段とを具備し、
　　第１の信号調整回路は、水平および垂直同期信号を受信して、プログラム可能なスイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　　重畳されたビデオ信号に応答してワークステーションからの信号を検出する手段と、
　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳されたビデオ信号に応答して入力された信号をプログラム可能なスイッチに送信する手段とを具備しているシステム。」と訂正する。
　
訂正事項(7)
　特許第３４１２８２３号発明の明細書中、特許請求の範囲の請求項２２を「キーボードと、カーソル制御装置と、ビデオモニタとを具備しているワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチと
の間で信号を伝送させる手段とを具備し、
　　前記第１の信号調整回路は、水平および垂直同期信号を受信して、プログラム可能なスイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　重畳されたビデオ信号に応答して生成されたワークステーションからの信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して生成された信号をプログラム可能なスイッチに送信する手段とを具備しているシステム。」と訂正する。
　
訂正事項(8)
　特許第３４１２８２３号発明の明細書中、特許請求の範囲の請求項２３を「キーボード、カーソル制御装置およびビデオモニタを含むタイプのワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチと
の間で信号を伝送させる手段とを具備し、
　　前記第１の信号調整回路は、水平および垂直同期信号を受信して、プログラム可能なスイッチを制御するためワークステーションのビデオモニタ上にプロンプトを視覚的に表示する、重畳されるビデオ信号を生成するスクリーン上プログラミング回路と、プロンプトはメニューであり、
内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　　ワークステーションのビデオモニタに供給されるビデオ信号が、遠隔地に設置されたコンピュータによって生成されたビデオ信号であるか、スクリーン上プログラミング回路によって生成された重量されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　　重畳されたビデオ信号に応答してワークステーションで生成された信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して生成された信号をプログラム可能なスイッチに送信する手段とを具備しているシステム。」と訂正する。
　
訂正事項(9)
　特許第３４１２８２３号発明の明細書中、特許請求の範囲の請求項２４を「各キーボードおよび複数のコンピュータのアナログビデオ出力のそれぞれ独立した専用ケーブルに物理的に同時に接続されるコンピュータ側のインターフェイスと、
　第１のキーボードおよび第１のモニタのアナログビデオ入力の独立した専用ケーブルの第１のセットに物理的に接続されたユーザ側のインターフェイスと、　コンピュータ側のインターフェイスを通って複数のコンピュータの１つからアナログビデオ信号を受信するためのコンピュータ側のインターフェイスに接続されたアナログビデオ受信回路と、
　スイッチングシステムの内部でスイッチを制御するためにユーザ側のインターフェイスのビデオモニタ上にプロンプトを視覚的に表示するアナログオーバレイビデオ信号を生成するように、コンピュータ側のインターフェイスとユーザ側のインタースェイスの間に配置された、アナログビデオオーバレイイメージ生成回路と、ここでプロンプトはメニューであり、
　（１）アナログビデオ受信回路によって受信されたアナログビデオ信号の一部分と、（２）ユーザ側のインターフェイスを介して第１のモニタに対する出力である結合されたアナログ信号を形成するスイッチングシステムの内部で生成されたアナログオーバレイビデオ信号とを結合するためのコンピュータ側のインターフェイスとユーザ側のインターフェイスの間に配置されたアナログビデオオーバーレイ回路を具備しているスイッチングシステム。」と訂正する。
　
　
２．訂正の目的の適否、新規事項の有無及び拡張・変更の存否
　本件訂正の要旨は、上記訂正事項(1)〜(9)のとおりである。
　上記訂正は、請求項１，７，１４，１７，１８，１９，２２，２３，２４のいずれにも構成要件を加えるものであるから、いずれも、特許請求の範囲の減縮を目的とした明細書の訂正に該当する。
　そして、これらの訂正事項に関連する記載としては、図２に示されているように「スクリーン上プログラミング回路９９が信号調整装置（ポッド）７０に含まれる」ことは明らかであり、願書に添付した明細書（以下、「特許明細書」という。）の発明の詳細な説明には、「上記に示されたように、本発明は、ユーザーがビデオモニタ上に表示されたプロンプトに応答してワークステーションから中央交差点スイッチに命令を送信することを可能にする能力を提供する。図２に示されたスクリーン上プログラミング回路９９は、ユーザーによって選択される命令のメニューを表示するビデオ信号を生成する。」と記載されていることから、「スクリーン上プログラミング回路は中央スイッチを制御するためにワークステーションのビデオモニタ上にプロンプトを視覚的に表示する重畳されるビデオ信号を生成」することは特許明細書に記載されているものと認められる。また、特許明細書の発明の詳細な説明には「スクリーン上プログラミング表示装置を付勢するために、ユーザーは“プリントスクリーン”キーを押すことによってエスケープシーケンスを開始する。ユーザーポッド内のＣＰＵはこのキーを認識して、ビデオスクリーン上にメニューを生成する。ユーザーはキーボードをタイプするか、或はマウスを動かすことによってメニューから１以上の項目を選択する。ＣＰＵは、中央交差点スイッチに送信されるべき命令としてこれらのマウス／キーボード入力を変換する。ユーザーが“エンタ”キーを付勢することによって命令を終了させると、ＣＰＵは、ユーザーが異なるコンピュータに接続したり、また異なるコンピュータの状態を監視すること等を可能にする中央交差点スイッチに送信されるべき１以上のパケットを生成することができる。」と記載されていることから、「プロンプトはメニュー」であること、および、「ワークステーションと遠隔地に設置されたコンピュータとの間の現在の通信を中止させそしてワークステーションと遠隔地に設置された異なるコンピュータとの間の通信を行なわさせる中央スイッチ内の制御回路」は実質的に特許明細書に記載されているものと認められる。
　よって、上記訂正事項(1)〜(9)は、特許明細書に記載された事項の範囲内においてするものであり、新規事項の追加に該当せず、また、いずれの訂正も実質上特許請求の範囲を拡張し、又は変更するものでもない。
　
３．むすび
　したがって、上記訂正は、特許法第１２０条の４第２項に規定する訂正の目的を満たすものであり、かつ同条第３項で準用する第１２６条第２、３項の規定に適合する。
　よって、本件訂正請求のとおりの訂正を認める。
　
　
第３．特許異議の申立てについての判断
　
１．申立ての概要
　申立人鮫島金治は、甲第１号証〜甲第１８号証を提出して、請求項１〜４０に係る発明は、下記の甲第１〜１８号証に記載された発明を基に容易に発明をすることができたものであり、特許法第２９条第２項の規定に違反してなされたものであるから、特許を取り消すべき旨主張している。
甲第１号証：特開平５−２７７２１号公報
甲第２号証：特開平５−８１１９６号公報
甲第３号証：特開平４−１７７５２５号公報
甲第４号証：特開平５−２７８９０号公報
甲第５号証：特開平７−１４１２７９号公報
甲第６号証：特開平７−４６５５７号公報
甲第７号証：特開平５−１５８４５１号公報
甲第８号証：特開平５−６１４４５号公報
甲第９号証：特開平７−１５８４５１号公報
甲第１０号証：特開平６−５１７２９号公報
甲第１１号証：特開平６−９５６３９号公報
甲第１２号証：特開平６−１３３２４３号公報
甲第１３号証：特開平６−１３３２４０号公報
甲第１４号証：特開平７−１５６８１号公報
甲第１５号証：特開平５−２２７４５３号公報
甲第１６号証：特開平５−２９９９８４号公報
甲第１７号証：特開平５−１４６８２号公報
甲第１８号証：実開平５−４６６８号公報
　
２．本件発明
　前記したとおり訂正が認められた結果、当該請求項１〜４０に係る発明は、平成１６年１０月６日付けの訂正明細書の特許請求の範囲の請求項１〜４０に記載された事項により特定される次のとおりのものである（以下「訂正発明１」〜「訂正発明４０」という。）。
「【請求項１】キーボード、マウスおよびビデオモニタを具備している多数のワークステーションを多数の遠隔地コンピュータシステムに接続するシステムにおいて、
　ワークステーションに結合され、キーボードおよびマウスによって生成された電気信号を受信して、その電気信号を含む直列データパケットを生成する複数の第１の信号調整装置と、
　第１の信号調整装置と中央交差点スイッチとの間に結合され、第１の信号調整装置により生成された前記直列データパケットを伝送する複数の第１の通信リンクと、
　多数の双方向入力部および出力部を含んでおり、入力部から第１の通信リンクによって伝送された直列データパケットを受信し、前記出力部の１以上のものに直列データパケットを導く中央交差点スイッチと、
　中央交差点スイッチに結合された複数の第２の通信リンクと、
　それぞれ遠隔地コンピュータシステムに結合され、さらに前記複数の第２の通信リンクの１つに結合されて第２の通信リンクにより伝送された直列データパケットを受信し、遠隔地コンピュータのキーボードおよびマウス入力にそのデータパケットを供給し、また遠隔地コンピュータシステムによって生成されたビデオ信号を受信して、複数の第２の通信リンクの１つで中央交差点スイッチにそのビデオ信号を送信する複数の第２の信号調整装置と、
　ビデオ信号は赤色、緑色および青色ビデオ信号、並びに水平および垂直同期信号を含み、また各第２の信号調整装置は、ビデオ信号が中央スイッチに送信される前に、赤色、緑色または青色ビデオ信号のうちの２つに水平および垂直同期信号を符号化するエンコーダ回路を含み、
　第１の信号調整装置のうちの対応する１つに含まれるスクリーン上プログラミング回路と、スクリーン上プログラミング回路は中央スイッチを制御するためにワークステーションのビデオモニタ上にプロンプトを視覚的に表示する重畳されるビデオ信号を生成し、ここでプロンプトはメニューであり、
　ワークステーションと遠隔地に設置されたコンピュータとの間の現在の通信を中止させそしてワークステーションと遠隔地に設置された異なるコンピュータとの間の通信を行なわさせる中央スイッチ内の制御回路と、
　を具備するシステム。
　　【請求項２】ビデオ信号は水平および垂直同期信号の極性を示すモード信号を含み、エンコーダ回路は、ビデオ信号が中央スイッチに送信される前に、赤色、緑色または青色ビデオ信号の１つにモード信号を符号化する請求項１記載のシステム。
　　【請求項３】第１の信号調整装置は、赤色、緑色または青色ビデオ信号から水平および垂直同期信号を分離するデコーダ回路を含んでいる請求項１記載のシステム。
　　【請求項４】デコーダ回路は、赤色、緑色または青色ビデオ信号からモード信号を分離する請求項３記載のシステム。
　　【請求項５】デコーダ回路は、復号されたモード信号に基づいて水平および垂直同期信号の極性を調節する回路を含んでいる請求項４記載のシステム。
　　【請求項６】さらに、第１の信号調整装置に含まれ、ビデオモニタによって表示されるビデオ信号を生成するスクリーン上プログラミング回路を含んでいる請求項５記載のシステム。
　　【請求項７】キーボードと、カーソル制御装置と、ビデオモニタとを具備しているワークステーションを多数の遠隔地に設置されたコンピュータに接続するシステムにおいて、
　多数の入力部で受信された信号を多数の出力部に接続するプログラム可能な中央スイッチと、
　ワークステーションのキーボードおよびカーソル制御装置によって生成された信号を受信し、かつキーボードおよびカーソル制御信号を中央スイッチの入力部に送信し、また中央スイッチを制御するためワークステーションのビデオモニタ上にプロンプトを視覚的に表示する重畳されるビデオ信号を生成するスクリーン上プログラミング回路と、ここでプロンプトはメニューであり、表示されたビデオ信号に応答して入力されたキーボードと、カーソル制御装置信号を検出する手段と、それによってワークステーションと遠隔地に設置されたコンピュータとの間の現在の通信を中止させ、そしてワークステーションと遠隔地に設置された異なるコンピュータとの間の通信を行なわせる中央スイッチの動作を制御するために重畳されたビデオ信号に応答して入力されたキーボードおよびカーソル制御信号を中央スイッチに送信する手段とを含んでいる第１の信号調整回路と、
　遠隔地に設置されたコンピュータに結合され、中央スイッチの出力からキーボードおよびカーソル制御装置信号を受信して、キーボードおよびカーソル制御装置信号を遠隔地コンピュータに供給する第２の信号調整回路と、
　前記第１および第２の信号調整回路のそれぞれと中央スイッチとの間で信号を伝送させる手段とを具備しているシステム。
　　【請求項８】第２の信号調整回路は、遠隔地コンピュータシステムによって生成されたビデオ信号を受信し、かつ第１の信号調整装置にビデオ信号を導く中央スイッチにビデオ信号を送信し、第１の信号調整装置は中央スイッチからビデオ信号を受信して、ワークステーションのビデオモニタにビデオ信号を供給する請求項７記載のシステム。
　　【請求項９】遠隔地コンピュータによって生成されたビデオ信号は、赤色、緑色および青色ビデオ信号、並びに水平および垂直同期信号を含み、また各第２の信号調整回路は、ビデオ信号が中央スイッチに送信される前に、赤色、緑色または青色ビデオ信号のうちの２つに水平および垂直同期信号を符号化するエンコーダ回路を含んでいる請求項８記載のシステム。
　　【請求項１０】ビデオ信号は水平および垂直同期信号の適切な極性を示すモード信号を含み、エンコーダ回路は、ビデオ信号が中央スイッチに送信される前に、赤色、緑色または青色ビデオ信号の１つにモード信号を符号化する請求項９記載のシステム。
　　【請求項１１】第１の信号調整装置は、赤色、緑色または青色ビデオ信号から水平および垂直同期信号を分離するデコーダ回路を備えている請求項１０記載のシステム。
　　【請求項１２】デコーダ回路は、赤色、緑色または青色ビデオ信号からモード信号を分離する請求項１１記載のシステム。
　　【請求項１３】デコーダ回路は、復号されたモード信号に基づいて水平および垂直同期信号を調節する回路を含んでいる請求項１２記載のシステム。
　　【請求項１４】キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータによって生成されたビデオ信号をワークステーションに導くように切替えが制御されるスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、前記切替えが制御されるスイッチから送信されたキーボードおよびカーソル制御信号を受信してそれらキーボードおよびカーソル制御信号を遠隔地に設置されたコンピュータに供給し、また遠隔地に設置されたコンピュータによって生成されたビデオ信号を受信し、そのビテオ信号を前記切替えが制御されるスイッチに送信する第２の信号調整回路と、
　前記第１および第２の信号調整回路のそれぞれと中央スイッチとの間で信号を伝送させる手段とを具備し、
　前記第１の信号調整回路は、
　　水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　　重畳されたビデオ信号に応答して入力されたキーボードおよびカーソル制御信号を検出する手段と、
　　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳された信号に応答して入力されたキーボードおよびカーソル制御信号を前記切替えが制御されるスイッチに送信する手段とを具備しているシステム。
　　【請求項１５】さらに、同期スイッチによって選択された内部または外部水平および垂直同期信号を受信して、選択された水平および垂直同期信号を活性ロー論理レベルに変換する同期ポラライザ回路を含んでいる請求項１４記載のシステム。
　　【請求項１６】さらに、遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力を有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重量されるビデオ信号の両方であるかのいずれかであるように、第１および第２の組のバッファ回路を動作させる制御論理回路とを含んでいる請求項１４記載のシステム。
　　【請求項１７】キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータにより生成されたビデオ信号をワークステーションに導くプログラム可能な中央スイッチと、
　ワークステーションにおいて生成されたキーボードおよびカーソル制御装置信号を受信し、かつキーボードおよびカーソル制御信号をプログラム可能な中央スイッチに送信する第１の信号調整回路と、
　遠隔地に設置されたコンピュータに結合され、プログラム可能な中央スイッチから送信されたキーボードおよびカーソル制御信号を受信し、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　　前記第１の信号調整回路は、水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平または垂直同期信号を受信して、選択された水平および垂直同期信号を活性ロー論理レベルに変換する同期ポラライザ回路と、
　　重畳されたビデオ信号に応答して入力されたキーボードおよびカーソル制御信号を検出する手段と、
　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳されたビデオ信号に応答して入力されたキーボードおよびカーソル制御信号をプログラム可能なスイッチに送信する手段とを具備しているシステム。
　　【請求項１８】キーボードと、カーソル制御装置と、ビデオモニタとを具備しているワークステーションを少なくとも１つの遠隔地に設置されたコンピュータに接続するシステムにおいて、
　前記キーボードおよびカーソル制御装置から前記遠隔地に設置されたコンピュータに信号を導き、かつ遠隔地に設置されたコンピュータによって生成されたビデオ信号をワークステーションに導くプログラム可能なスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、プログラム可能なスイッチから送信されたキーボードおよびカーソル制御信号を受信して、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　　前記第１の信号調整回路は、水平および垂直同期信号を受信して、中央スイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　　重畳されたビデオ信号に応答して入力されたキーボードおよびカーソル制御信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して入力されたキーボードおよびカーソル制御信号をプログラム可能なスイッチに送信する手段とを具備しているシステム。
　　【請求項１９】キーボードと、カーソル制御装置と、ビデオモニタとを具備しているワークステーションと、
少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信して、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、前記第１および第２の信号調整回路のそれぞれとプログラム可能なスイッチとの間で信号を伝送させる手段とを具備し、
　第１の信号調整回路は、水平および垂直同期信号を受信して、プログラム可能なスイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　　重畳されたビデオ信号に応答してワークステーションからの信号を検出する手段と、
　それによってワークステーションと遠隔地に設置されたコンピュータとの間の現在の通信を中止させ、そしてワークステーションと遠隔地に設置された異なるコンピュータとの間の通信を行なわせる、プログラム可能なスイッチの動作を制御するために重畳されたビデオ信号に応答して入力された信号をプログラム可能なスイッチに送信する手段とを具備しているシステム。
　　【請求項２０】さらに、同期スイッチによって選択された内部または外部水平および垂直同期信号を受信して、選択された水平および垂直同期信号を活性ロー論理レベルに変換する同期ポラライザ回路を含んでいる請求項１９記載のシステム。
　　【請求項２１】さらに、遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力を有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路とを含んでいる請求項１９記載のシステム。
　　【請求項２２】キーボードと、カーソル制御装置と、ビデオモニタとを具備しているワークステーションと、
少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチとの間で信号を伝送させる手段とを具備し、
前記第１の信号調整回路は、水平および垂直同期信号を受信して、プログラム可能なスイッチを制御するためにワークステーションのビデオモニタ上にプロンプトを視覚的に表示する重畳されるビデオ信号を生成するスクリーン上プログラミング回路と、ここでプロンプトはメニューであり、
　　内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　重畳されたビデオ信号に応答して生成されたワークステーションからの信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して生成された信号をプログラム可能なスイッチに送信する手段とを具備しているシステム。
　　【請求項２３】キーボード、カーソル制御装置およびビデオモニタを含むタイプのワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチとの間で信号を伝送させる手段とを具備し、
　　前記第１の信号調整回路は、水平および垂直同期信号を受信して、プログラム可能なスイッチを制御するためワークステーションのビデオモニタ上にプロンプトを視覚的に表示する重畳されるビデオ信号を生成するスクリーン上プログラミング回路と、プロンプトはメニューであり、
内部水平および垂直同期信号を発生する信号発生器と、
　　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　　同期スイッチによって選択された内部または外部水平および垂直同期信号を受信して、選択された水平および垂直同期信号を活性ロー論理レベルに変換する同期ポラライザ回路と、
　　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　　ワークステーションのビデオモニタに供給されるビデオ信号が、遠隔地に設置されたコンピュータによって生成されたビデオ信号であるか、スクリーン上プログラミング回路によって生成された重量されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　　重畳されたビデオ信号に応答してワークステーションで生成された信号を検出する手段と、
　　それによってワークステーションと遠隔地に設置されたコンピュータとの間の現在の通信を中止させ、そしてワークステーションと遠隔地に設置された異なるコンピュータとの間の通信を行なわせるプログラム可能なスイッチの動作を制御するために重畳されたビデオ信号に応答して生成された信号をプログラム可能なスイッチに送信する手段とを具備しているシステム。
　　【請求項２４】各キーボードおよび複数のコンピュータのアナログビデオ出力のそれぞれ独立した専用ケーブルに物理的に同時に接続されるコンピュータ側のインターフェイスと、
　第１のキーボードおよび第１のモニタのアナログビデオ入力の独立した専用ケーブルの第１のセットに物理的に接続されたユーザ側のインターフェイスと、
　コンピュータ側のインターフェイスを通って複数のコンピュータの１つからアナログビデオ信号を受信するためのコンピュータ側のインターフェイスに接続されたアナログビデオ受信回路と、
　スイッチングシステムの内部でスイッチを制御するためにユーザ側のインターフェイスのビデオモニタ上にプロンプトを視覚的に表示するアナログオーバレイビデオ信号を生成するように、コンピュータ側のインターフェイスとユーザ側のインタースェイスの間に配置された、アナログビデオオーバレイイメージ生成回路と、ここでプロンプトはメニューであり、
　（１）アナログビデオ受信回路によって受信されたアナログビデオ信号の一部分と、（２）ユーザ側のインターフェイスを介して第１のモニタに対する出力である結合されたアナログ信号を形成するスイッチングシステムの内部で生成されたアナログオーバレイビデオ信号とを結合するためのコンピュータ側のインターフェイスとユーザ側のインターフェイスの間に配置されたアナログビデオオーバーレイ回路を具備しているスイッチングシステム。
　　【請求項２５】アナログビデオ受信回路がさらに複数のコンピュータの１つからアナログビデオ信号と対応する水平および垂直同期信号の１つを検出するための同期信号検出回路を具備している請求項２４記載のシステム。
　　【請求項２６】コンピュータ側のインターフェイスはさらに複数のコンピュータのマウスポートとの間で信号を送受信するためのコンピュータ側マウスインターフェイスを具備し、ユーザ側のインターフェイスはさらに第１のコンピュータマウスとの間で信号を送受信するためのユーザ側マウスインターフェイスを具備している請求項２４記載のシステム。
　　【請求項２７】アナログビデオオーバレイ回路は（１）アナログビデオ受信回路によって受信されたアナログビデオ信号の一部分と（２）フレームバッファを必要とせずにスイッチングシステム内部で生成したアナログオーバレイビデオ信号とを多重化するためのマルチプレクサを具備している請求項２４記載のシステム。
　　【請求項２８】さらにユーザ側のインターフェイスで使用された第１のフォーマットからコンピュータ側のインターフェイスで使用された第２のフォーマットへキーボードコードを変換するためのコンピュータ側のインターフェイスとユーザ側のインターフェイスとの間に配置されたキーボード変換器を具備している請求項２４記載のシステム。
　　【請求項２９】アナログビデオ受信回路は分離したアナログ赤色、緑色、および青色信号を受信する請求項２４記載のシステム。
　　【請求項３０】アナログビデオ受信回路は実時間アナログビデオ信号を受信するための受信回路を具備している請求項２５記載のシステム。
　　【請求項３１】アナログビデオ受信回路は実時間アナログビデオ信号上に重畳された水平および垂直同期信号の少なくとも一方を含む実時間アナログビデオ信号を受信するための受信回路を具備している請求項２５記載のシステム。
　　【請求項３２】アナログビデオ受信回路は、分離したアナログ赤色、緑色および青色信号を受信する請求項３０記載のシステム。
　　【請求項３３】アナログビデオ受信回路は、分離したアナログ赤色、緑色および青色信号を受信する請求項３１記載のシステム。
　　【請求項３４】デジタル背面部材とアナログ背面部材とをさらに具備し、
キーボード情報はアナログ背面部材上でコンピュータ側のインターフェイスからユーザ側のインターフェイスまでの経路が設定されるアナログビデオ信号とは独立してデジタル背面部材上でコンピュータ側のインターフェイスからユーザ側のインターフェイスへの経路が設定されている請求項２４記載のシステム。
　　【請求項３５】コンピュータ側のインターフェイスがコンピュータ側のインターフェイスに並列に複数のコンピュータを接続するための並列スイッチを具備している請求項２４記載のシステム。
　　【請求項３６】ユーザ側のインターフェイスはさらに第２のキーボードおよび第２のモニタのアナログビデオ入力の独立した専用ケーブルの第２のセットに接続するための第２のユーザインターフェイスを具備して、複数のコンピュータのいずれかのアナログビデオ信号は並列に第１および第２のモニタの両方に同時に導かれる請求項２４記載のシステム。
　　【請求項３７】コンピュータ側のインターフェイスとユーザ側のインターフェイスの間に配置され、複数のコンピュータの１つのアナログビデオ信号が複数のコンピュータの別のコンピュータのアナログビデオ信号によって置き換えられるように第１のキーボードが要求したときそれを検出するキーボードコマンド検出器を具備している請求項２４記載のシステム。
　　【請求項３８】デジタル背面部材とアナログ背面部材とをさらに具備し、
　キーボード情報は、アナログ背面部材上でコンピュータ側のインターフェイスからユーザ側のインターフェイスへの経路を設定されたアナログビデオ信号とは独立してデジタル背面部材上でコンピュータ側のインターフェイスからユーザ側のインターフェイスへの経路を設定される請求項３７記載のシステム。
　　【請求項３９】コンピュータ側のインターフェイスとユーザ側のインターフェイスの間に配置され、ユーザ側のインターフェイスを介して第１のモニタに対する出力である結合されたアナログ信号に応答して複数のコンピュータの１つのアナログビデオ信号が複数のコンピュータの別のコンピュータのアナログビデオ信号によって置き換えられるように第１のキーボードが要求したときにそれを検出するキーボードコマンド検出器を具備している請求項２４記載のシステム。
　　【請求項４０】デジタル背面部材とアナログ背面部材とをさらに具備し、
　キーボード情報は、アナログ背面部材上でコンピュータ側のインターフェイスからユーザ側のインターフェイスへの経路を設定されたアナログビデオ信号とは無関係にデジタル背面部材上でコンピュータ側のインターフェイスからユーザ側のインターフェイスへの経路を設定される請求項３９記載のシステム。」
　
　
３．引用刊行物記載の発明
　甲第１号証（特開平５−２７７２１号公報）には、キーボード（４ａ２〜４ｍ２）および表示器（４ａ１〜４ｍ１）と制御部（４ａ３〜４ｍ３）を具備している多数の操作端末機（４ａ〜４ｍ）が、インターフェース装置（２ａ〜２ｎ）及びビデオ信号切替器（３ａ），制御器（３ｂ）を介して、多数の情報端末装置（１ａ〜１ｎ）に選択接続するビデオ信号選択システムにおいて、操作端末機のキーボードで操作端末，ビデオ信号切替器，情報端末装置を制御する構成が記載されている（特に、【0007】〜【0019】の記載及び図１を参照。）。
　甲第２号証（特開平５−８１１９６号公報）には、キーボード（１５−１〜１５−１１），パソコンなどのデスクサイド端末制御部（１９−１〜１９−ｎ），表示部（１４−１〜１４−ｎ，２１−１〜２１−ｎ）がワークステーションコントローラ（１３−１〜１３−ｎ）に接続する複数のワークステーション（１２−１〜１２−ｎ）が、スイッチマトリクスコントローラ（８），キーボードスイッチコントローラ（９），ソース端末Ｉ／Ｆ１〜ｎ（５−１〜５−ｎ）を介して、ソース端末制御部１〜ｎ（２−１〜２−ｎ）に選択接続するビデオスイッチシステムにおいて、ワークステーションコントローラのキーボードで、ワークステーションコントローラ，スイッチマトリクスコントローラ，ソース端末制御部を制御する構成および端末のビデオ信号を変換してワークステーションに表示させることが記載されている（特に、【0003】〜【0008】及び【0023】〜【0037】の記載及び図１〜図５を参照。）。
　甲第３号証（特開平４−１７７５２５号公報）には、キーボードとマウスと表示装置を複数の情報処理部に切換スイッチにより選択接続する構成が記載されている。
　甲第４号証（特開平５−２７８９０号公報）には、キーボード制御部（１），マウス制御部（２）からのデータ信号を出力制御装置（４）を介して処理装置（５）へ送信する際に、データ変換部（６）によりデータブロックに変換して送信することが記載されている。
　甲第５号証（特開平７−１４１２７９号公報）には、表示器を持つ複数のワークステーションや表示器を持つサーバなど遠隔地にあるコンピュータ間を直列データパケットで送受信するローカルエリアネットワークシステムが記載されている（特に、【0020】〜【0032】，【0117】の記載および図１，図８を参照。）。
　甲第６号証（特開平７−４６５５７号公報）には、複数の映像信号を切り換えて表示する遠隔監視システムにおいて、データを直列データパケットで送受信することが記載されている。
　甲第７号証（特開平５−１５８４５１号公報）には、ビデオ信号は赤色、緑色および青色ビデオ信号、並びに水平および垂直同期信号を含み、緑色信号に水平および垂直同期信号を載せることにより信号線の削減を図ること、及び、水平および垂直同期信号の極性により走査モードを識別すること、３線式において走査モードを識別させる情報を載せることが記載されている。
　甲第８号証（特開平５−６１４４５号公報）には、ＣＲＴの画面に条件調整用画面を表示して制御すること、および、ＲＧＢ信号と各種信号を合成して送信し、受信部において重畳信号を分離する構成が記載されている。
　甲第９号証（特開平７−１５８４５１号公報）には、ビデオ信号は赤色、緑色および青色ビデオ信号、並びに水平および垂直同期信号を含み、緑色信号に水平および垂直同期信号を載せることにより信号線の削減を図ること、及び、緑色信号より水平および垂直同期信号を分離回路により分離して画像表示することが記載されている。
　甲第１０号証（特開平６−５１７２９号公報）には、入力信号を映像信号と同期信号に分離し画像表示する構成において、同期信号を検出した際は入力信号経路を切り換えることが記載されている。
　甲第１１号証（特開平６−９５６３９号公報）、甲第１２号証（特開平６−１３３２４３号公報）、　甲第１３号証（特開平６−１３３２４０号公報）、甲第１４号証（特開平７−１５６８１号公報）には、オンスクリーンディスプレイ（ＯＳＤ）表示に関する発明が記載されている。
　甲第１５号証（特開平５−２２７４５３号公報）には、内部同期信号発生部からの内部同期信号と外部同期信号の同期状態を監視し、同期状態に応じて内部か外部の同期信号を選択する構成が記載されている。
　甲第１６号証（特開平５−２９９９８４号公報）には、内部同期信号発生器からの内部同期信号と外部同期信号の同期状態を監視し、同期状態に応じて内部か外部の同期信号を選択し、ＯＳＤ表示を制御する構成が記載されている。
　甲第１７号証（特開平５−１４６８２号公報）には、水平同期信号をインバータにて反転し、画像処理する構成が記載されている（特に図５参照。）。
　甲第１８号証（実開平５−４６６８号公報）には、水平同期信号および垂直同期信号をインバータにて反転し、カラーテレビ信号を制御する構成が記載されている。
　
　また、当審が平成１６年７月１日付で通知した取消理由で新たに引用した刊行物１（特開平７−２００４７１号公報）には、ホストコンピュータと遠隔パソコンの表示を同じにする構成が記載されている。
　
　
４．判断
（１）訂正発明１について
　訂正発明１と、申立人が提示した各甲第１〜１８号証記載の発明および上記刊行物１に記載の発明とを対比すると、当該刊行物のいずれにも、訂正発明１の構成要件である、“多数のワークステーションを多数の遠隔地コンピュータシステムに接続するシステムにおいて、スクリーン上プログラミング回路は中央スイッチを制御するためにワークステーションのビデオモニタ上にメニューであるプロンプトを視覚的に表示する重畳されるビデオ信号を生成”することについて記載されておらず、示唆する記載もない。また、申立人が提示した各甲第１〜１８号証記載の発明および上記刊行物１に記載の発明を組み合わせてみても、当該構成は得られない。そして、当該構成要件により、訂正発明１は、“ワークステーションのビデオモニタ上で遠隔地に設置されたコンピュータとの間の通信を切り換える”という明細書記載の格別の効果を奏するものである。したがって、訂正発明１は申立人が提示した各甲第１〜１８号証記載の発明および上記刊行物１に記載の発明から当業者が容易に発明をすることができたものとはいえない。
　また、他に訂正発明１に係る特許を取り消す理由を発見しない。
　
（２）訂正発明２〜６について
　訂正発明２〜６に係る発明は、訂正発明１に係る発明を更に限定したものであるから、上記訂正発明１に係る発明についての判断と同様の理由により、上記各号証に記載の発明から当業者が容易に推考しうるものではない。
　
（３）訂正発明７について
　訂正発明７と、申立人が提示した各甲第１〜１８号証記載の発明および上記刊行物１に記載の発明とを対比すると、当該刊行物のいずれにも、訂正発明７の構成要件である、“ワークステーションを多数の遠隔地に設置されたコンピュータに接続するシステムにおいて、中央スイッチを制御するためワークステーションのビデオモニタ上にメニューであるプロンプトを視覚的に表示する重畳されるビデオ信号を生成するスクリーン上プログラミング回路”について記載されておらず、示唆する記載もない。また、申立人が提示した各甲第１〜１８号証記載の発明および上記刊行物１に記載の発明を組み合わせてみても、当該構成は得られない。そして、当該構成要件により、訂正発明７は、“ワークステーションのビデオモニタ上で遠隔地に設置されたコンピュータとの間の通信を切り換える”という明細書記載の格別の効果を奏するものである。したがって、訂正発明７は申立人が提示した各甲第１〜１８号証記載の発明および上記刊行物１に記載の発明から当業者が容易に発明をすることができたものとはいえない。
　また、他に訂正発明７に係る特許を取り消す理由を発見しない。
　
（４）訂正発明８〜１３について
　訂正発明８〜１３に係る発明は、訂正発明７に係る発明を更に限定したものであるから、上記訂正発明７に係る発明についての判断と同様の理由により、上記各甲号証に記載の発明および刊行物１に記載の発明から当業者が容易に推考しうるものではない。
　
（５）訂正発明１４，１７〜１９，２２，２３について
　各訂正発明１４，１７〜１９，２２，２３と、申立人が提示した各甲第１〜１８号証記載の発明および上記刊行物１に記載の発明とを対比すると、当該刊行物のいずれにも、各訂正発明１４，１７〜１９，２２，２３の構成要件である、“ワークステーションを１以上の遠隔地に設置されたコンピュータに接続するシステムにおいて、中央スイッチを制御するためにワークステーションのビデオモニタ上にメニューであるプロンプトを視覚的に表示する重畳されるビデオ信号を生成するスクリーン上プログラミング回路”について記載されておらず、示唆する記載もない。また、申立人が提示した各甲第１〜１８号証記載の発明および上記刊行物１に記載の発明を組み合わせてみても、当該構成は得られない。そして、当該構成要件により、各訂正発明１４，１７〜１９，２２，２３は、“ワークステーションのビデオモニタ上で遠隔地に設置されたコンピュータとの間の通信を切り換える”という明細書記載の格別の効果を奏するものである。したがって、訂正発明１４，１７〜１９，２２，２３は申立人が提示した各甲第１〜１８号証記載の発明および上記刊行物１に記載の発明から当業者が容易に発明をすることができたものとはいえない。
　また、他に訂正発明１４，１７〜１９，２２，２３に係る特許を取り消す理由を発見しない。
　
（６）訂正発明１５，１６について
　訂正発明１５，１６に係る発明は、訂正発明１４に係る発明を更に限定したものであるから、上記訂正発明１４に係る発明についての判断と同様の理由により、上記各甲号証に記載の発明および刊行物１に記載の発明から当業者が容易に推考しうるものではない。
　
（７）訂正発明２０，２１について
　訂正発明２０，２１に係る発明は、訂正発明１９に係る発明を更に限定したものであるから、上記訂正発明１９に係る発明についての判断と同様の理由により、上記各甲号証に記載の発明および刊行物１に記載の発明から当業者が容易に推考しうるものではない。
　
（８）訂正発明２４について
　訂正発明２４と、申立人が提示した各甲第１〜１８号証記載の発明および上記刊行物１に記載の発明とを対比すると、当該刊行物のいずれにも、訂正発明１４の構成要件である、“ユーザ側のモニタを複数のコンピュータに接続するスイッチングシステムにおいて、スイッチを制御するためにユーザ側のビデオモニタ上にメニューであるプロンプトを視覚的に表示するアナログオーバレイビデオ信号を生成するアナログビデオオーバレイイメージ生成回路”について記載されておらず、示唆する記載もない。また、申立人が提示した各甲第１〜１８号証記載の発明および上記刊行物１に記載の発明を組み合わせてみても、当該構成は得られない。そして、当該構成要件により、訂正発明２４は、“ユーザ側のビデオモニタ上で複数のコンピュータとの接続を切り換える”という明細書記載の格別の効果を奏するものである。したがって、訂正発明２４は申立人が提示した各甲第１〜１８号証記載の発明および上記刊行物１に記載の発明から当業者が容易に発明をすることができたものとはいえない。
　また、他に訂正発明２４に係る特許を取り消す理由を発見しない。
　
（９）訂正発明２５〜４０について
　訂正発明２５〜４０に係る発明は、訂正発明２４に係る発明を更に限定したものであるから、上記訂正発明２４に係る発明についての判断と同様の理由により、上記各甲号証に記載の発明および刊行物１に記載の発明から当業者が容易に推考しうるものではない。
　
５．むすび
　以上のとおりであるから、請求項１〜４０に係る発明の特許は、異議申立人鮫島金治の主張する理由及び証拠によっては取り消すことはできない。
　また、他に請求項１〜４０に係る発明の特許を取り消すべき理由を発見しない。
　よって、結論のとおり決定する。
【異議決定日】
平成１７年１月６日（２００５．１．６）
【訂正の要旨】
審決（決定）の【理由】欄参照。
（５４）【発明の名称】
コンピュータ接続システム
（５７）【特許請求の範囲】
　【請求項１】　キーボード、マウスおよびビデオモニタを具備している多数のワークステーションを多数の遠隔地コンピュータシステムに接続するシステムにおいて、
　ワークステーションに結合され、キーボードおよびマウスによって生成された電気信号を受信して、その電気信号を含む直列データパケットを生成する複数の第１の信号調整装置と、
　第１の信号調整装置と中央交差点スイッチとの間に結合され、第１の信号調整装置により生成された前記直列データパケットを伝送する複数の第１の通信リンクと、
　多数の双方向入力部および出力部を含んでおり、入力部から第１の通信リンクによって伝送された直列データパケットを受信し、前記出力部の１以上のものに直列データパケットを導く中央交差点スイッチと、
　中央交差点スイッチに結合された複数の第２の通信リンクと、
　それぞれ遠隔地コンピュータシステムに結合され、さらに前記複数の第２の通信リンクの１つに結合されて第２の通信リンクにより伝送された直列データパケットを受信し、遠隔地コンピュータのキーボードおよびマウス入力にそのデータパケットを供給し、また遠隔地コンピュータシステムによって生成されたビデオ信号を受信して、複数の第２の通信リンクの１つで中央交差点スイッチにそのビデオ信号を送信する複数の第２の信号調整装置
と、
　ビデオ信号は赤色、緑色および青色ビデオ信号、並びに水平および垂直同期信号を含み、また各第２の信号調整装置は、ビデオ信号が中央スイッチに送信される前に、赤色、緑色または青色ビデオ信号のうちの２つに水平および垂直同期信号を符号化するエンコーダ回路を
含み、
　
第１の信号調整装置のうちの対応する１つに含まれるスクリーン上プログラミング回路と、スクリーン上プログラミング回路は中央スイッチを制御するためにワークステーションのビデオモニタ上にプロンプトを視覚的に表示する重畳されるビデオ信号を生成し、ここでプロンプトはメニューであり、
　
ワークステーションと遠隔地に設置されたコンピュータとの間の現在の通信を中止させそしてワークステーションと遠隔地に設置された異なるコンピュータとの間の通信を行なわさせる中央スイッチ内の制御回路と、
　
を具備する
　【請求項２】　ビデオ信号は水平および垂直同期信号の極性を示すモード信号を含み、エンコーダ回路は、ビデオ信号が中央スイッチに送信される前に、赤色、緑色または青色ビデオ信号の１つにモード信号を符号化する請求項１記載のシステム。
　【請求項３】　第１の信号調整装置は、赤色、緑色または青色ビデオ信号から水平および垂直同期信号を分離するデコーダ回路を含んでいる請求項１記載のシステム。
　【請求項４】　デコーダ回路は、赤色、緑色または青色ビデオ信号からモード信号を分離する請求項３記載のシステム。
　【請求項５】　デコーダ回路は、復号されたモード信号に基づいて水平および垂直同期信号の極性を調節する回路を含んでいる請求項４記載のシステム。
　【請求項６】　さらに、第１の信号調整装置に含まれ、ビデオモニタによって表示されるビデオ信号を生成するスクリーン上プログラミング回路を含んでいる請求項５記載のシステム。
　【請求項７】　キーボードと、カーソル制御装置と、ビデオモニタとを具備しているワークステーションを多数の遠隔地に設置されたコンピュータに接続するシステムにおいて、
　多数の入力部で受信された信号を多数の出力部に接続するプログラム可能な中央スイッチと、
　ワークステーションのキーボードおよびカーソル制御装置によって生成された信号を受信し、かつキーボードおよびカーソル制御信号を中央スイッチの入力部に送信し、また
中央スイッチを制御するため
プロンプトを視覚的
する
ここでプロンプトはメニューであり、
それによってワークステーションと遠隔地に設置されたコンピュータとの間の現在の通信を中止させ、そしてワークステーションと遠隔地に設置された異なるコンピュータとの間の通信を行なわせる
　遠隔地に設置されたコンピュータに結合され、中央スイッチの出力からキーボードおよびカーソル制御装置信号を受信して、キーボードおよびカーソル制御装置信号を遠隔地コンピュータに供給する第２の信号調整回路と、
　前記第１および第２の信号調整回路のそれぞれと中央スイツチとの間で信号を伝送させる手段とを具備しているシステム。
　【請求項８】　第２の信号調整回路は、遠隔地コンピュータシステムによって生成されたビデオ信号を受信し、かつ第１の信号調整装置にビデオ信号を導く中央スイッチにビデオ信号を送信し、第１の信号調整装置は中央スイッチからビデオ信号を受信して、ワークステーションのビデオモニタにビデオ信号を供給する請求項７記載のシステム。
　【請求項９】　遠隔地コンピュータによって生成されたビデオ信号は、赤色、緑色および青色ビデオ信号、並びに水平および垂直同期信号を含み、また各第２の信号調整回路は、ビデオ信号が中央スイッチに送信される前に、赤色、緑色または青色ビデオ信号のうちの２つに水平および垂直同期信号を符号化するエンコーダ回路を含んでいる請求項８記載のシステム。
　【請求項１０】　ビデオ信号は水平および垂直同期信号の適切な極性を示すモード信号を含み、エンコーダ回路は、ビデオ信号が中央スイッチに送信される前に、赤色、緑色または青色ビデオ信号の１つにモード信号を符号化する請求項９記載のシステム。
　【請求項１１】　第１の信号調整装置は、赤色、緑色または青色ビデオ信号から水平および垂直同期信号を分離するデコーダ回路を備えている請求項１０記載のシステム。
　【請求項１２】　デコーダ回路は、赤色、緑色または青色ビデオ信号からモード信号を分離する請求項１１記載のシステム。
　【請求項１３】　デコーダ回路は、復号されたモード信号に基づいて水平および垂直同期信号を調節する回路を含んでいる請求項１２記載のシステム。
　【請求項１４】　キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータによって生成されたビデオ信号をワークステーションに導くように切替えが制御されるスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、前記切替えが制御されるスイッチから送信されたキーボードおよびカーソル制御信号を受信してそれらキーボードおよびカーソル制御信号を遠隔地に設置されたコンピュータに供給し、また遠隔地に設置されたコンピュータによって生成されたビデオ信号を受信し、そのビテオ信号を前記切替えが制御されるスイッチに送信する第２の信号調整回路と、
　前記第１および第２の信号調整回路のそれぞれと中央スイッチとの間で信号を伝送させる手段とを具備し、
　前記第１の信号調整回路は、
　水平および垂直同期信号を受信して、
中央スイッチを制御するために
プロンプトを視覚的に
する重畳される
ここでプロンプトはメニューであり、
　内部水平および垂直同期信号を発生する信号発生器と、
　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　重畳されたビデオ信号に応答して入力されたキーボードおよびカーソル制御信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる、
　【請求項１５】　さらに、同期スイッチによって選択された内部または外部水平および垂直同期信号を受信して、選択された水平および垂直同期信号を活性ロー論理レベルに変換する同期ポラライザ回路を含んでいる請求項１４記載のシステム。
　【請求項１６】　さらに、遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力を有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重量されるビデオ信号の両方であるかのいずれかであるように、第１および第２の組のバッファ回路を動作させる制御論理回路とを含んでいる請求項１４記載のシステム。
　【請求項１７】　キーボードと、カーソル制御装置と、ビデオモニタとを具備しているワークステーションを１以上の遠隔地に設置されたコンピュータに接続するシステムにおいて、
　ワークステーションから遠隔地に設置されたコンピュータにキーボードおよびカーソル制御信号を導き、かつ遠隔地に設置されたコンピュータにより生成されたビデオ信号をワークステーションに導くプログラム可能な中央スイッチと、
　ワークステーションにおいて生成されたキーボードおよびカーソル制御装置信号を受信し、かつキーボードおよびカーソル制御信号をプログラム可能な中央スイッチに送信する第１の信号調整回路と、
　遠隔地に設置されたコンピュータに結合され、プログラム可能な中央スイッチから送信されたキーボードおよびカーソル制御信号を受信し、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　前記第１の信号調整回路は、水平および垂直同期信号を受信して、
中央スイッチを制御するために
プロンプトを視覚的に表示する重畳される
ここでプロンプトはメニューであり、
　内部水平および垂直同期信号を発生する信号発生器と、
　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　同期スイッチによって選択された内部または外部水平または垂直同期信号を受信して、選択された水平および垂直同期信号を活性ロー論理レベルに変換する同期ポラライザ回路と、
　重畳されたビデオ信号に応答して入力されたキーボードおよびカーソル制御信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる、
　【請求項１８】　キーボードと、カーソル制御装置と、ビデオモニタとを具備しているワークステーションを少なくとも１つの遠隔地に設置されたコンピュータに接続するシステムにおいて、
　前記キーボードおよびカーソル制御装置から前記遠隔地に設置されたコンピュータに信号を導き、かつ遠隔地に設置されたコンピュータによって生成されたビデオ信号をワークステーションに導くプログラム可能なスイッチと、
　ワークステーションにおいて生成されたキーボードおよびカーソル制御信号を受信し、かつキーボードおよびカーソル制御信号をプログラム可能なスイッチに送信する第１の信号調整回路と、
　遠隔地に設置されたコンピュータに結合され、プログラム可能なスイッチから送信されたキーボードおよびカーソル制御信号を受信して、キーボードおよびカーソル制御信号を遠隔地に設置されたコンピュータに供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれと中央スイッチとの間で信号を伝送させる手段とを具備し、
　前記第１の信号調整回路は、水平および垂直同期信号を受信して、
中央スイッチを制御するために
プロンプトを視覚的に表示する
ここでプロンプトはメニューであり、
　内部水平および垂直同期信号を発生する信号発生器と、
　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　同期スイッチによって選択された内部または外部水平および垂直同期信号を受信して、選択された水平および垂直同期信号を活性ロー論理レベルに変換する同期ポラライザ回路と、
　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　重畳されたビデオ信号に応答して入力されたキーボードおよびカーソル制御信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる
　【請求項１９】　キーボードと、カーソル制御装置と、ビデオモニタとを具備しているワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信して、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチとの間で信号を伝送させる手段とを具備し、
　第１の信号調整回路は、水平および垂直同期信号を受信して、
プログラム可能なスイッチを制御するために
プロンプトを視覚的に表示する
ここでプロンプトはメニューであり、
　内部水平および垂直同期信号を発生する信号発生器と、
　信号発生器によって生成された内部水平および垂直同期信号と遠隔地に設置されたコンピュータから受信された外部水平および垂直同期信号とを受信するように結合され、スクリーン上プログラミング回路に供給されるべき内部または外部のいずれかの水平および垂直同期信号を選択するように動作する同期スイッチと、
　重畳されたビデオ信号に応答してワークステーションからの信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる、
　【請求項２０】　さらに、同期スイッチによって選択された内部または外部水平および垂直同期信号を受信して、選択された水平および垂直同期信号を活性ロー論理レベルに変換する同期ポラライザ回路を含んでいる請求項１９記載のシステム。
　【請求項２１】　さらに、遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力を有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重畳されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路とを含んでいる請求項１９記載のシステム。
　【請求項２２】　キーボードと、カーソル制御装置と、ビデオモニタとを具備しているワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチとの間で信号を伝送させる手段とを具備し、
　前記第１の信号調整回路は、水平および垂直同期信号を受信して、
プログラム可能なスイッチを制御するために
プロンプトを視覚的に表示する
ここでプロンプトはメニューであり、
　内部水平および垂直同期信号を発生する信号発生器と、
　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　同期スイッチによって選択された内部または外部水平および垂直同期信号を受信して、選択された水平および垂直同期信号を活性ロー論理レベルに変換する同期ポラライザ回路と、
　重畳されたビデオ信号に応答して生成されたワークステーションからの信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる
　【請求項２３】　キーボード、カーソル制御装置およびビデオモニタを含むタイプのワークステーションと、
　少なくとも１つの遠隔地に設置されたコンピュータと、
　ワークステーションから受信された信号を遠隔地に設置されたコンピュータに導き、かつ遠隔地に設置されたコンピュータによって生成されたビデオ信号をワークステーションに導くプログラム可能なスイッチと、
　ワークステーションにおいて生成された信号を受信し、かつプログラム可能なスイッチに信号を送信する第１の信号調整回路と、
　遠隔地に設置されたコンピュータに結合され、プログラム可能なスイッチから送信された信号を受信し、遠隔地に設置されたコンピュータに信号を供給し、また遠隔地に設置されたコンピュータによって生成されたビデオ信号を受信し、かつプログラム可能なスイッチにビデオ信号を送信する第２の信号調整回路と、
　前記第１および第２の信号調整回路のそれぞれとプログラム可能なスイッチとの間で信号を伝送させる手段とを具備し、
　前記第１の信号調整回路は、水平および垂直同期信号を受信して、
プログラム可能なスイッチを制御するため
プロンプトを視覚的に表示する
プロンプトはメニューであり、
　内部水平および垂直同期信号を発生する信号発生器と、
　信号発生器によって生成された内部水平および垂直同期信号と遠隔地に設置されたコンピュータによって生成された外部水平および垂直同期信号とを受信するように結合され、スクリーン上プログラミング回路に供給されるべき内部または外部のいずれかの水平および垂直同期信号を選択するように動作する同期スイッチと、
　同期スイッチによって選択された内部または外部水平および垂直同期信号を受信して、選択された水平および垂直同期信号を活性ロー論理レベルに変換する同期ポラライザ回路と、
　遠隔地に設置されたコンピュータによって生成されたビデオ信号を受信するように結合された入力と、ワークステーションのビデオモニタに結合された出力とを有している第１の組のバッファ回路と、スクリーン上プログラミング回路によって生成された重畳されるビデオ信号を受信するように結合された入力と、ワークステーションのビデオモニタに結合された出力とを有している第２の組のバッファ回路と、
　ワークステーションのビデオモニタに供給されるビデオ信号が、遠隔地に設置されたコンピュータによって生成されたビデオ信号であるか、スクリーン上プログラミング回路によって生成された重量されるビデオ信号であるか、或は遠隔地に設置されたコンピュータによって生成されたビデオ信号とスクリーン上プログラミング回路によって生成された重畳されるビデオ信号の両方であるかのいずれかであるように、第１および第２の組のバッファ回路を動作させる制御論理回路と、
　重畳されたビデオ信号に応答してワークステーションで生成された信号を検出する手段と、
　
それによってワークステーションと遠隔地に設置されたコンピュータとの間の現在の通信を中止させ、そしてワークステーションと遠隔地に設置された異なるコンピュータとの間の通信を行なわせる
　【請求項２４】　各キーボードおよび複数のコンピュータのアナログビデオ出力のそれぞれ独立した専用ケーブルに物理的に同時に接続されるコンピュータ側のインターフェイスと、
　第１のキーボードおよび第１のモニタのアナログビデオ入力の独立した専用ケーブルの第１のセットに物理的に接続されたユーザ側のインターフェイスと、
　コンピュータ側のインターフェイスを通って複数のコンピュータの１つからアナログビデオ信号を受信するためのコンピュータ側のインターフェイスに接続されたアナログビデオ受信回路と、
　スイッチングシステムの内部で
スイッチを制御するためにユーザ側のインターフェイスのビデオモニタ上にプロンプトを視覚的に表示する
ここでプロンプトはメニューであり、
　（１）アナログビデオ受信回路によって受信されたアナログビデオ信号の一部分と、（２）ユーザ側のインターフェイスを介して第１のモニタに対する出力である結合されたアナログ信号を形成するスイッチングシステムの内部で生成されたアナログオーバレイビデオ信号とを結合するためのコンピュータ側のインターフェイスとユーザ側のインターフェイスの間に配置されたアナログビデオオーバーレイ回路を具備しているスイッチングシステム。
　【請求項２５】　アナログビデオ受信回路がさらに複数のコンピュータの１つからアナログビデオ信号と対応する水平および垂直同期信号の１つを検出するための同期信号検出回路を具備している請求項２４記載のシステム。
　【請求項２６】　コンピュータ側のインターフェイスはさらに複数のコンピュータのマウスポートとの間で信号を送受信するためのコンピュータ側マウスインターフェイスを具備し、ユーザ側のインターフェイスはさらに第１のコンピュータマウスとの間で信号を送受信するためのユーザ側マウスインターフェイスを具備している請求項２４記載のシステム。
　【請求項２７】　アナログビデオオーバレイ回路は（１）アナログビデオ受信回路によって受信されたアナログビデオ信号の一部分と（２）フレームバッファを必要とせずにスイッチングシステム内部で生成したアナログオーバレイビデオ信号とを多重化するためのマルチプレクサを具備している請求項２４記載のシステム。
　【請求項２８】　さらにユーザ側のインターフェイスで使用された第１のフォーマットからコンピュータ側のインターフェイスで使用された第２のフォーマットへキーボードコードを変換するためのコンピュータ側のインターフェイスとユーザ側のインターフェイスとの間に配置されたキーボード変換器を具備している請求項２４記載のシステム。
　【請求項２９】　アナログビデオ受信回路は分離したアナログ赤色、緑色、および青色信号を受信する請求項２４記載のシステム。
　【請求項３０】　アナログビデオ受信回路は実時間アナログビデオ信号を受信するための受信回路を具備している請求項２５記載のシステム。
　【請求項３１】　アナログビデオ受信回路は実時間アナログビデオ信号上に重畳された水平および垂直同期信号の少なくとも一方を含む実時間アナログビデオ信号を受信するための受信回路を具備している請求項２５記載のシステム。
　【請求項３２】　アナログビデオ受信回路は、分離したアナログ赤色、緑色および青色信号を受信する請求項３０記載のシステム。
　【請求項３３】　アナログビデオ受信回路は、分離したアナログ赤色、緑色および青色信号を受信する請求項３１記載のシステム。
　【請求項３４】　デジタル背面部材とアナログ背面部材とをさらに具備し、
　キーボード情報はアナログ背面部材上でコンピュータ側のインターフェイスからユーザ側のインターフェイスまでの経路が設定されるアナログビデオ信号とは独立してデジタル背面部材上でコンピュータ側のインターフェイスからユーザ側のインターフェイスへの経路が設定されている請求項２４記載のシステム。
　【請求項３５】　コンピュータ側のインターフェイスがコンピュータ側のインターフェイスに並列に複数のコンピュータを接続するための並列スイッチを具備している請求項２４記載のシステム。
　【請求項３６】　ユーザ側のインターフェイスはさらに第２のキーボードおよび第２のモニタのアナログビデオ入力の独立した専用ケーブルの第２のセットに接続するための第２のユーザインターフェイスを具備して、複数のコンピュータのいずれかのアナログビデオ信号は並列に第１および第２のモニタの両方に同時に導かれる請求項２４記載のシステム。
　【請求項３７】　コンピュータ側のインターフェイスとユーザ側のインターフェイスの間に配置され、複数のコンピュータの１つのアナログビデオ信号が複数のコンピュータの別のコンピュータのアナログビデオ信号によって置き換えられるように第１のキーボードが要求したときそれを検出するキーボードコマンド検出器を具備している請求項２４記載のシステム。
　【請求項３８】　デジタル背面部材とアナログ背面部材とをさらに具備し、
　キーボード情報は、アナログ背面部材上でコンピュータ側のインターフェイスからユーザ側のインターフェイスへの経路を設定されたアナログビデオ信号とは独立してデジタル背面部材上でコンピュータ側のインターフェイスからユーザ側のインターフェイスへの経路を設定される請求項３７記載のシステム。
　【請求項３９】　コンピュータ側のインターフェイスとユーザ側のインターフェイスの間に配置され、ユーザ側のインターフェイスを介して第１のモニタに対する出力である結合されたアナログ信号に応答して複数のコンピュータの１つのアナログビデオ信号が複数のコンピュータの別のコンピュータのアナログビデオ信号によって置き換えられるように第１のキーボードが要求したときにそれを検出するキーボードコマンド検出器を具備している請求項２４記載のシステム。
　【請求項４０】　デジタル背面部材とアナログ背面部材とをさらに具備し、
　キーボード情報は、アナログ背面部材上でコンピュータ側のインターフェイスからユーザ側のインターフェイスへの経路を設定されたアナログビデオ信号とは無関係にデジタル背面部材上でコンピュータ側のインターフェイスからユーザ側のインターフェイスへの経路を設定される請求項３９記載のシステム。
【発明の詳細な説明】
発明の分野
　本発明は、遠隔地に設置されたコンピュータを接続するシステムに関する。
発明の背景
　典型的な構内コンピュータネットワークにおいて、通信リンクを介して多数のネットワークサーバーリソースに結合された多数の顧客コンピュータが存在する。これらのリソースには、例えばファイルサーバー、プリントサーバー、モデムサーバーおよびＣＤ−ＲＯＭサーバー等が含まれる。各サーバーは、通常それ自身のキーボード、マウスおよびビデオモニタを備えた独立形コンピュータである。各顧客コンピュータは、サーバーコンピュータによって通信リンクを通って提供される機能を使用することができる。
　大部分のコンピュータネットワークには、サーバーコンピュータに対して一人以上のシステム管理者、すなわち人間のオペレータが存在している。システム管理者は、サーバーコンピュータで実行するソフトウェアの動作を監視し、新しいソフトウェアパッケージをロードし、古くなったファイルを削除し、ネットワークの動作を維持するために必要とされるその他のタスクを実行する。大部分の管理者のタスク（ソフトウェア修正、ファイル削除など）は顧客コンピュータからネットワークを介して行われることができるが、サーバーコンピュータに直接アクセスし、それらを動作させるために、ネットワーク管理者をサーバーコンピュータに物理的に配置しなければならない状況が存在する。例えば、ネットワークを介してサーバーコンピュータを再起動させることは不可能である。サーバーコンピュータが近接していない場合、再起動させることと同じ程簡単なタスクでもかなりの時間を必要とする可能性が高い。
　システム管理者が中心的位置からネットワークを動作させることを可能にするために各サーバーコンピュータに専用の通信リンクを稼働させることは可能であるが、非常に簡単なネットワーク以外の全てのもののためにかなり多数のケーブルが要求される。
発明の概要
　本発明は、複雑な配線方式を必要とせずに、中央に配置されたネットワーク管理者が多数のサーバーコンピュータを長距離にわたって動作することを可能にするコンピュータ化されたスイッチングシステムを提供する。一般にこのスイッチングシステムは、ワークステーションと遠隔地に設置されたサーバーコンピュータとの間のデータ伝送を可能にする。信号調整装置は、ワークステーションからキーボードおよびマウス信号を受信し、中央交差点スイッチに伝送される直列データパケットを発生する。交差点スイッチは、遠隔地に設置されたサーバーコンピュータに結合された別の信号調整装置にキーボード／マウスパケットを導く。サーバーコンピュータに結合された信号調整装置は、キーボード／マウスパケットを復号し、マウスおよびキーボードが遠隔地コンピュータに直接結合された場合と同じ方法で遠隔地コンピュータでキーボードおよびマウスコネクタに信号を供給する。
　遠隔地コンピュータによって生成されたビデオ信号は、交差点スイッチを介してワークステーションに送信される。遠隔地コンピュータとワークステーションとの間に延在する配線の数を最少にするために、モード信号ならびに水平および垂直同期信号がアナログビデオ信号で符号化される。本発明のこの実施形態は、３２個のワークステーションの任意のものが３２個の遠隔地に設置されたサーバーコンピュータの任意のものに接続されることを可能にする。
図面の簡単な説明
　本発明の上記の観点およびそれに付随する多数の利点は、以下の詳細な説明および添付図面を参照にして本発明を理解したときに、さらに容易に認識されるであろう。
　図１は、本発明によるコンピュータ化されたスイッチングシステム、多数のワークステーション、および多数の遠隔地に設置されたコンピュータの概略図である。
　図２は、ワークステーションに結合された信号調整装置（ポッド）のブロック図である。
　図２Ａは、図２に示されている信号調整装置によって送信された直列ポッド間パケットのタイミング図である。
　図２Ｂは、中央交差点スイッチ内で導かれるデータパケットのタイミング図である。
　図３は、遠隔地コンピュータシステムに結合された信号調整装置（ポッド）のブロック図である。
　図４は、ワークステーションと遠隔地サーバーコンピュータとの間でデータを導く本発明による交差点スイッチのブロック図である。
　図５は、交差点スイッチにおいて信号を送信および受信するために使用される入出力カードのブロック図である。
　図６は、交差点スイッチを通って信号を導くスイッチカードのブロック図である。
　図７は、本発明の交差点スイッチにおいて使用される３２×３２スイッチを生成している４個のスイッチカードの相互接続を示した概略図である。
　図８および９は、デジタルおよびアナログ１６×１６スイッチがどのように構成されたかを示した概略図である。
　図１０Ａ乃至１０Ｃは、水平同期信号、垂直同期信号およびビデオモード信号によってアナログビデオ信号を符号化する本発明の別の観点による回路の概略図である。
　図１１Ａおよび１１Ｂは、符号化された水平同期信号および垂直同期信号並びにモード信号をアナログビデオ信号から抽出する回路の概略図である。
　図１２Ａは、ワークステーションのモニタ上でビデオ表示を生成する本発明のさらに別の観点によるスクリーン上プログラミング回路の回路図である。
　図１２Ｂは、図１２Ａのスクリーン上プログラミング回路内で使用される水平同期信号および垂直同期信号の極性を反転させる回路の回路図である。
好ましい実施形態の詳細な説明
　本発明は、多数のコンピュータワークステーションが多数の遠隔地に設置されたサーバーコンピュータに結合されることを可能にするコンピュータ化されたスイッチングシステムである。ここにおいて好ましい本発明の実施形態において、３２個までのワークステーションが、３２個の遠隔地コンピュータシステムの任意のものに接続されることができる。しかしながら、当業者は、本発明が使用される環境に対して可能な接続個数が容易に修正可能であることを認識するであろう。
　図１を参照すると、本発明によるコンピュータ化されたスイッチングシステムまたは交差点スイッチは、多数のサーバーコンピュータ５２，５４，５６が多数のワークステーション６２，６４，６６に結合されることを可能にする。各ワークステーションは、ビデオモニタ６３、キーボード６５およびマウス６７のようなカーソル制御装置を備えている。本発明によると、キーボード６５およびマウス６７からの信号は、信号調整回路またはポッド７０によって受信される。ポッドは、通信リンク７２を介してキーボードおよびマウス信号を中央交差点スイッチ６０に送信する。交差点スイッチ顧客導かれた後、キーボードおよびマウス信号は別の通信リンク７４でポッド７６に再送信され、このポッド７６は遠隔地に設置されたサーバーコンピュータに結合されている。ポッド７６は、あたかもキーボード６５およびマウス６７がキーボードおよびマウス入力ポートに直接結合されているかのように、適切なコネクタを通してキーボードおよびマウス信号を遠隔地コンピュータのキーボードおよびマウス入力ポートに供給する。
　遠隔地サーバーコンピュータ５２，５４または５６によって生成されたオーディオおよびビデオ信号は、関連したポッド７６によって受信され、中央交差点スイッチ６０に対して通信リンク７４に沿って逆方向に送信される。中央交差点スイッチ６０は、ポッド７０に送信するために通信リンク７２の１つにオーディオおよびビデオ信号を導く。その後、ポッド７０は、ワークステーションの関連したビデオモニタ６３およびスピーカ６９にオーディオおよびビデオ信号を供給する。ユーザーから見ると、ワークステーションは、まるでそれが遠隔地サーバーコンピュータに直接結合されているかのように思える。
　図２はポッド７０のブロック図である。上述のように、ポッドはマウスおよびキーボード信号を受信し、かつ交差点スイッチを通って遠隔地に設置されたサーバーコンピュータシステムにそれらを送信するように動作する。さらに、ポッドは遠隔地サーバーコンピュータから中央交差点スイッチによりビデオおよびオーディオ信号を受信し、かつワークステーションのビデオモニタおよびスピーカにそれらを供給する。
　ポッド７０は一般に、それ自身のランダムアクセスメモリおよび読出し専用メモリを有する中央処理装置（ＣＰＵ）８０を含んでいる。キーボード／マウスインターフェイス８２はＣＰＵ８０に結合され、キーボード６５およびマウス６７から電気信号を受信し、調整する。ユーザーがマウスを動かすか、またはキーボードをタイプすると、キーボード／マウスインターフェイス８２は中断信号を発生し、この中断信号がＣＵＰ８０に供給される。ＣＰＵ８０は、キーボード／マウスインターフェイス８２からデジタル的にバッファされたキーボードおよびマウス信号を読取り、その信号を遠隔地コンピュータに送信されるデータパケットに変換する。
　図２Ａに示されているように、ポッド間データパケット９０は、データパケットの開始を示した特有の文字９２から始まり、パケットの長さを示すバイト９４がそれに続く。次のバイト９６は、パケットが表すデータのタイプ（マウス、キーボード、モニタタイプ等）を示す。次の一連のバイト９８は、サーバーコンピュータに送信されるべきキーボード／マウスデータを表す。最後に、検査合計バイト１００は送信中に発生する可能性のあるエラーの補正を行う。
　ポッド間パケットは、キーボードおよびマウスデータの伝送に限定されないことに注意しなければならない。パケットは、ワークステーションにおけるポッドが遠隔地コンピュータにおけるポッドに“通話”することを可能にする。各ポッドは、パケットが正しく受信されたことを他のものに知らせ、エラーの場合にはパケットが再送信されたことをリクエストする。
　ＣＰＵ８０がポッド間パケットを組立てた後、パケットはクァドＵＡＲＴ８４に送信され、それは４本の導線８４ａ乃至８４ｄで直列データを送信および受信する。ポッド間パケットは直列化されて、差動ライン駆動装置／受信機８８に導線８４ａで送信され、この差動ライン駆動装置／受信機８８は、中央交差点スイッチ６０（図１に示されている）に結合された多数の撚線対ケーブル７２ａ乃至７２ｅでデータを送信および受信する。ここにおいて好ましい本発明の実施形態において、差動ライン駆動装置／受信機は、ナショナル・セミコンダクタ社製の型式Ｎｏ．ＤＳ８９２１である。駆動装置は、撚線対ケーブルの一方のワイヤでデータの正のバージョンを送信し、また撚線対ケーブルの他方のワイヤで反転されたデータを送信する。これは、付加的な増幅器を使用せずに、データが５００フィートまでの長さのケーブルに沿って送信されることを可能にする。
　ユーザーが遠隔地サーバーコンピュータを動作しているときに、遠隔地コンピュータはマウスおよびキーボードの動作に影響を与える命令を送信する可能性がある。これらは、マウス感度、キーボード反復速度、キーボード上の１以上のＬＥＤ（数字ロック、大文字ロック等）の付勢を含む。遠隔地コンピュータから送信されたポッド間パケットに含まれるキーボード／マウス命令は、差動ライン駆動装置／受信機８８によって撚線対ケーブル７２ｂで受信される。ＵＡＲＴ８４は、受信された直列キーボード／マウス命令を並列フォーマットに変換し、ＣＰＵ８０にデータを供給する。その後、ＣＰＵ８０は、キーボード／マウスインターフェイス８２に供給され、またキーボード６２ｂおよびマウス６２ｃに与えられる適切な信号を発生する。
　遠隔地サーバーコンピュータから送信されたビデオ信号は、１組の差動ライン受信機９０によって３組の撚線対ケーブル７２ｆ，７２ｇおよび７２ｈで受信される。差動ライン受信機９０によって生成された出力信号は、ビデオ増幅器９２に供給される。ビデオ増幅器の出力は、含まれた水平および垂直同期信号並びにモード信号を緑色、青色および赤色ビデオ信号からそれぞれ分離する同期抽出回路９４に結合される。同期抽出回路９４は、赤色、青色および緑色アナログビデオ信号並びに水平および垂直同期信号を別個の導線でスクリーン上プログラミング回路９９に供給する。以下、このスクリーン上プログラミング回路９９をさらに詳細に説明する。スクリーン上プログラミング回路９９は、通常のビデオケーブル９７によってワークステーションのビデオモニタに結合されているコネクタ９６にビデオ信号を供給する。以下さらに詳細に説明するように、ワークステーションと遠隔地サーバーコンピュータとの間に延在するワイヤの数を最少にすると共に、交差点スイッチの複雑さを軽減するために、水平および垂直同期信号が緑色および青色ビデオ信号中に組込まれる。
　ＣＰＵ８０はまた１組の４モニタ感知導線９５を読取って、どのタイプのモニタがそれに接続されているかを決定する。モニタ感知データが生成され、図２Ａに示されたポッド間パケットで送信される。遠隔地コンピュータはモニタデータを受信し、そのビデオ信号を適宜調節するために遠隔地コンピュータにそれを供給する。
　遠隔地コンピュータからのキーボードおよびマウス信号を送信および受信することに加えて、ポッド７０は中央交差点スイッチと通信することができる。中央交差点スイッチに送信されるべきデータは撚線対ケーブル７２ｃで送られ、一方中央交差点スイッチから送信されたデータは撚線対ケーブル７２ｄで受信される。
　ポッド７０と中央交差点スイッチとの間で伝送される命令は、ユーザーが別の遠隔地コンピュータにワークステーションを接続することを可能にし、また中央交差点スイッチがポッドの状態を質問し、以下に説明するように図２Ｂに示されたパケット構造を使用してポッドのファームウェアを更新することを可能にする。ユーザーが中央交差点スイッチに命令を送ることを希望した時、キーストロークの特別なシーケンスが使用される。本発明のこの実施形態において、全ての命令は“プリントスクリーン”キーによって先行され、“エンター”キーにより終了する。ＣＰＵ８０は、これらのキーに対するキーボードストロークを調べて、キーストロークを解析して、命令の目的地を決定する。命令がポッド自身に送られる場合、データパケットは生成されない。命令が遠隔地コンピュータに送られる場合、ポッド間パケットが生成されて送信される。命令が中央交差点スイッチに送られる場合、ＣＰＵは、撚線対ケーブル７２ｃで中央交差点スイッチに送信される命令パケットを組立てる。
　図３には、遠隔地サーバーコンピュータに結合されるポッド７６のブロック図が示されている。ポッド７６は、キーボード／マウスインターフェイス１３４に結合されている中央処理装置（ＣＰＵ）１２０を含んでいる。キーボード／マウスインターフェイス１３４は、サーバーコンピュータのキーボードおよびマウスコネクタに信号を供給し、かつこれらコネクタから信号を受信する。コンピュータのキーボードおよびマウスコネクタからのキーボードおよびマウス信号はＣＰＵ１２０によって読取られ、上述の図２Ａに示されたポッド間パケットと同じ方法でポッド間パケットに組立てられる。ＣＰＵ１２０によって生成されたポッド間パケットはＱＵＡＤ　ＵＡＲＴ１３６に伝送され、このＱＵＡＤ　ＵＡＲＴ１３６が導線１３６ｂを介して差動ライン駆動装置１４０にパケットを直列に送信する。差動ライン駆動装置は、中央交差点スイッチに結合された撚線対ケーブル７４ａを駆動する。
　ワークステーションから送信されたポッド間パケットは、撚線対ケーブル７４ｂで受信され、差動ライン受信機１４０に供給される。差動ライン受信機の出力信号は、パケットを直列フォーマットから並列フォーマットに変換するＱＵＡＤＵＡＲＴ１３６に供給される。ＣＰＵはパケットを読取り、その後受信されたキーボードおよびマウス信号をキーボードおよびマウスインターフェイス１３４に送り、このインターフェイス１３４では、あたかもキーボードとマウスが遠隔地サーバーコンピュータに直接接続されているかのように、同様の方法で信号が遠隔地コンピュータのキーボードおよびマウスコネクタに供給される。キーボードおよびマウスコネクタに供給された信号の特定のフォーマットは、遠隔地コンピュータの形式に応じて変化してもよい。したがって、ポッド７６内のＣＰＵは、信号をそれらの適切なフォーマットに変換するようにプログラムされている。
　ポッド７６から中央交差点スイッチに送信された命令は、遠隔地コンピュータがポッドの状態を質問し、図２Ｂのパケット構造を使用してポッドのファームウェア等を更新することを可能にする。ユーザーポッドの場合のように、全ての命令は“プリントスクリーン”キーにより先行され、“エンター”キーで終了する。ＣＰＵ１２０は、これらのキーに対するキーボードストロークを調べてキーストロークを解析し、命令の目的地を決定する。命令がポッド７６に送られる場合、データパケットは生成されない。命令がワークステーションに送られる場合、ポッド間パケットが生成されて、送信される。命令が中央交差点スイッチに送信される場合、ＣＰＵは、撚線対ケーブル７４ｄで中央交差点スイッチに送信される命令パケットを組立てる。
　遠隔地コンピュータのビデオポートからの信号は、ビデオケーブル１４３を通ってコネクタ１４４に供給される。以下に説明するように、水平および垂直同期信号と共に赤色、緑色および青色アナログビデオ信号は、水平および垂直同期信号と共に同期結合回路１４６に供給され、この同期結合回路１４６が水平および垂直同期信号をそれぞれ緑色および青色アナログビデオ信号において符号化する。モニタの電源モード（すなわち水平および垂直同期パルスの正しい極性）は、同期結合回路１４６によって赤色アナログビデオ信号において符号化される。この同期結合回路の出力は、信号を調整して、３つの別個の撚線対ケーブル７４ｆ，７４ｇおよび７４ｈを介して信号を中央交差点スイッチに送信する３個の差動ライン駆動装置１４０にビデオ信号を供給する増幅器１４８に供給される。
　遠隔地ワークステーションから受信されたモニタ感知データは、ＣＰＵ１２０によって復号され、１組のモニタ感知導線１４７に供給される。遠隔地コンピュータは、これらの導線でモニタ感知データを受信し、ビデオ信号を表示している特定のモニタに対するそのビデオ信号を調節する。
　遠隔地コンピュータによって生成されたオーディオ信号は、差動ライン駆動装置１４０に供給され、撚線対ケーブル７４ｃを介して中央交差点スイッチに送信される。
　図４は、中央交差点スイッチのブロック図である。中央交差点スイッチ６０は、マスター中央処理装置（ＣＰＵ）１５０と、多数の入力カード１５２と、多数のスイッチカード１５４と、および多数の出力カード１５６とを含んでいる。各入力カードは、遠隔地に設置されたサーバーコンピュータの８個までのものに信号を送信し、またそれらから信号を受信し、一方各出力カードは遠隔地に設置されたワークステーションの８個までのものに信号を送信し、またそれらから信号を受信する。マスターＣＰＵ１５０は、デジタルバス１５８によって各入力カード１５２、スイッチカード１５４および各出力カード１５６に結合されている。マスターＣＰＵと共に、入力カード、スイッチカードおよび出力カードは構内ネットワークを介して接続されている。
　ポッド間パケットは、デジタル背面部材１６０上において入力カードからスイッチカードを通って出力カードに、かつその逆に導かれる。アナログビデオおよびオーディオ信号は、別個のアナログ背面部材１６２上で入力カード１５２と、スイッチカード１５４と出力カード１５６との間を送信される。
　図５には、入力カード１５２のブロック図が示されている。出力カード１５６は、オーディオ／ビデオ信号の方向が反転されることを除いて入力カードと同じであり、したがって別個に説明しない。入力カード１５２は、マスターＣＰＵ１５０との間でデータを送信および受信するそれ自身のＣＰＵ１７０を含んでいる。遠隔地サーバーコンピュータから送信された信号は、１組の差動ライン駆動装置／受信機１７２ａ−ｂによって受信される。遠隔地コンピュータから中央交差点スイッチに送信された命令は、命令が直列から並列フォーマットに変換されるオクタルＵＡＲＴ１７３によって受信される。ＵＡＲＴはＣＰＵ１７０に命令を供給し、このＣＰＵ１７０において命令が変換され、マスターＣＰＵ１５０に送られる。
　交差点スイッチの入力、出力およびスイッチカードの間においてデータを伝送するために、データはパケットを送るカードのＣＰＵによって図２Ｂに示されたフォーマットでパケット化される。パケットは、パケットの開始を示した特有の文字１１２から始まる。目的地アドレス１１４がこの開始文字に続く。このアドレスは交差点スイッチにおけるカードの１つを特有に識別する。バイト１１６はパケットの大きさを示し、一方バイト１１８はパケットに含まれているデータのタイプを示す。一連のバイト１２０はあるカードから別のカードに送信されるべきデータである。このデータに続くバイト１２２は、送信しているカードの特有のアドレスを示す。検査合計バイト１２４が送信カードアドレスに続き、特有の文字１２６が最後尾として送信される。交差点スイッチのカード間におけるデータパケットの伝送は、マスターＣＰＵ１５０によって制御される。
　図５を参照すると、ＣＰＵ１７０により生成され、遠隔地サーバーコンピュータに結合されたポッドに送信されるべき命令は、導線１７４ｂで差動ライン駆動装置１７２に送信される。中央コンピュータから受信されたポッド間パケットは、導線１７４ｃで入力カードを通ってデジタル背面部材１６０に導かれる。同様にして、遠隔地ワークステーションから送信されたポッド間パケットはデジタル背面部材から受信され、導線１７４ｄで入力カードを通って導かれ、差動ライン駆動装置１７２に共給される。
　デジタル背面部材上において雑音からビデオ信号を遮蔽するために、遠隔地に設置されたサーバーコンピュータから送信されたビデオおよびオーディオ信号は、別個のアナログ背面部材１６２上において導かれる。遠隔地コンピュータから受信されたオーディオ信号は、導線１７４ｅで入力カードを通って導かれ、アナログ背面部材１６２に供給される。ビデオ信号は、差動ライン受信機１７２ａによって受信され、導線１７４ｆ乃至ｈで入力カードを通ってアナログ背面部材に導かれる。
　本発明の好ましい実施形態において、各入力カードは、８個までの遠隔地に設置されたサーバーコンピュータから信号を受信するために８組までの差動ライン駆動装置／受信機１７２ａ乃至１７２ｆ（残り６個の駆動装置／受信機は示されていない）を含む。遠隔地に設置された各コンピュータからの信号は、上述された方法で入力カードを通ってデジタルおよびアナログ背面部材に導かれる。
　図６は、スイッチカード１５４のブロック図である。スイッチカードは、それ自身の中央処理装置（ＣＰＵ）１８０を含んでいる。ＣＰＵ１８０は、１組の制御導線１８３を使用して１６×１６デジタル交差点スイッチ１８２および１６×１６アナログ交差点スイッチ１８４の位置を制御するためにマスターＣＰＵ１５０との間で信号の送信および受信を行う。デジタル交差点スイッチ１８２は、ワークステーションと遠隔地サーバーコンピュータとの間を送信されたキーボード／マウス信号、および遠隔地サーバーコンピュータによって発生されたオーディオ信号をワークステーションに接続する。アナログ交差点スイッチ１８４は、遠隔地サーバーコンピュータとワークステーションの任意のものとの間においてビデオ信号を送信する。
　図７は、３２×３２交差点スイッチのデジタル背面部材部分が、３２個のワークステーションと３２個の遠隔地に設置されたサーバーコンピュータとの間で信号を送信するために４個のスイッチカード１５４ａ，１５４ｂ，１５４ｃおよび１５４ｄを使用してどのようにして構成されるかを示す。スイッチカード１５４ａは、１６個の遠隔地に設置されたサーバーコンピュータに結合されている１６本の入力ライン１８６と、１６個のワークステーションに結合されている１６本の出力ライン１８８とを有している。スイッチカード１５４ｂは、別の１６個の遠隔地に設置されたサーバーコンピュータに結合されている１６本の入力ラインと、スイッチカード１５４ａの１６本の出力ライン１８８のそれぞれに結合されている１６本の出力ライン１９４を有している。スイッチカード１５４ｃは、スイッチカード１５４ａの１６本の入力ライン１８６に結合された１６本の入力ライン１９８を有している。スイッチカード１５４ｃの１６本の出力ライン２００は、別の１６個の遠隔地に設置されたワークステーションに結合されている。スイッチカード１５４ｄは、スイッチカード１５４ｄの１６本の入力ライン１９２のそれぞれに結合された１６本の入力ライン２０４を有している。スイッチカード１５４ｄの１６本の出力ライン２０６は、スイッチカード１５４ｃの１６本の出力ライン２００に結合されている。アナログ背面部材は、上述されたデジタル背面部材と同様に構成されている。認められるように、スイッチカード１５４ａ，１５４ｂ，１５４ｃおよび１５４ｄの構成は、３２個の遠隔地に設置されたコンピュータの任意のものからのデータが３２個の遠隔地に設置されたワークステーションの任意のものに結合されることを可能にする。
　図７に示されているタイプのスイッチング構成は、遠隔地に設置されたサーバーコンピュータと対応したワークステーションとの間を送信される各信号にとって必要とされる。本発明のこの実施形態において、各ワークステーションは、遠隔地コンピュータからオーディオおよびビデオ信号を受信するだけでなく、ポッド間パケットを送信および受信する。したがって、図６に示されている３２×３２デジタルスイッチに対して、デジタル背面部材は、図７に示されているタイプの２組のスイッチを含み、またアナログ背面部材は、ビデオおよびオーディオ信号用の別の４組のスイッチを含んでいる。
　本発明のこの実施形態において、デジタル１６×１６スイッチ１８２は、図８に示されている１対の１６×８デジタルスイッチを使用して構成される。各１６×１６スイッチは、スイッチ２１０および２１６を含んでいる。スイッチ２１０は、１６本の入力ライン２１２と、８本の出力ライン２１４を有している。スイッチ２１６は、入力ライン２１２のそれぞれに結合された１６本の入力ライン２１８と、８本の出力ライン２２０を有している。本発明の好ましい実施形態では、１６×８スイッチ２１０および２１６はそれぞれハリス（Ｈａｒｒｉｓ）社製の部品番号ＣＤ２２Ｍ３４９４５Ｑである。
　ビデオ信号が送信されるアナログ背面部材は、図７に示されたスイッチと同様に構成されている。しかしながら、大きい帯域幅が要求されるため、各１６×１６スイッチ１８４はシリコニックス（Ｓｉｌｉｃｏｎｉｘ）社製の８×４アナログスイッチモデル番号ＤＧ８８４ＤＮを８個使用して構成される。図９に示されているように、１６×１６アナログスイッチは、それぞれ８本の入力ラインと４本の出力ラインとを有するスイッチ２２２，２２４，２２６および２２８を使用して構成される。スイッチ２２２，２２４，２２６および２２８の入力ラインは、並列に接続されている。第２の組のスイッチ２３０，２３２，２３４および２３６は、それぞれ８本の入力ラインと４本の出力ラインとを有している。スイッチ２３０，２３２，２３４および２３６の入力ラインは、並列に接続されている。スイッチ２３０の出力は、スイッチ２２２の出力と並列に結合され、スイッチ２３２の出力はスイッチ２２４の出力と並列に接続されている。スイッチ２３４の出力はスイッチ２２６の出力と並列に結合され、スイッチ２３６の出力はスイッチ２２８の出力と並列に結合されている。
　遠隔地コンピュータからワークステーションに延在しなければならないワイヤの個数を最少にするために、本発明は、遠隔地コンピュータから送信されるアナログカラービデオ信号を水平および垂直同期信号によって符号化する。図１０Ａ乃至１０Ｃは、垂直および水平同期信号並びにモニタのモード信号によって符号化する同期結合回路１４６の詳細を示している。図１０Ａは、遠隔地コンピュータによって生成された緑色ビデオ信号に水平同期信号を符号化する回路を示す。この回路は、コンピュータシステムによって生成される水平同期信号を受信する第１の入力を有する排他的オア（ＸＯＲ）ゲート２５０を含んでいる。抵抗２５２およびキャパシタ２５４は、ＸＯＲゲートの第１の入力と接地との間に直列に接続されている。抵抗２５２とキャパシタ２５４の接合部において、２つの直列接続された反転ゲート２５６および２５８が存在する。インバータ２５８の出力はＸＯＲゲート２５０の第２の入力に供給される。
　ＸＯＲゲート２５０は、水平同期信号の正常状態がどうであっても正方向のパルスとして水平信号を符号化するように動作する。キャパシタ２５４の電圧は、水平同期信号の平均値に等しい。反転ゲート２５８の出力は、水平同期信号の非活性状態に等しい論理レベルを有する。ＸＯＲゲート２５０の出力は、増幅器回路２６０の反転入力に結合されている。増幅器２６０の非反転入力は、緑色アナログビデオ信号を受信するように接続されている。水平同期信号がその正常状態である場合、増幅器２６０の出力は緑色アナログビデオ信号に従う。しかしながら、水平同期信号が活性化されたとき、活性ビデオ信号はゼロボルトであり、増幅器２６０は負方向の水平同期パルスを生成する。
　図１０Ｂは、遠隔地コンピュータによって生成された青色アナログビデオ信号を垂直同期信号によって符号化する回路を示す。この回路は、図１０Ａに示された上述の水平同期回路と同様に接続された排他的オア（ＸＯＲ）ゲート２７０、抵抗２７２、キャパシタ２７４および１対のインバータ２７６，２７８を含んでいる。ＸＯＲゲートの出力は、垂直同期信号が活性化された場合、常に正方向のパルスである。ＸＯＲゲートの出力は、増幅器２８０の反転入力に供給される。垂直信号がその正常状態である場合、増幅器２８０の出力は青色アナログビデオ信号に従う。しかしながら、垂直同期信号が活性化されたとき、負方向のパルスＶ−ｓｙｎｃが増幅器によって生成される。
　図１０Ｃは、ビデオモニターのモードを符号化する電気回路である。モードは、水平および垂直同期信号の極性のことを言う。モードの変化は、ビデオモニタによって生成されるビデオ表示の大きさに影響を与える。ビデオ信号のモードを符号化するために、図１０Ｃに示された回路が使用される。回路は、２つのアンドゲート２８４および２８６を含んでいる。アンドゲート２８４は、インバータ２５８（図１０Ａに示されている）の出力に結合された１つの入力を有している。アンドゲート２８６は、インバータ２７８（図１０Ｂに示されている）の出力に結合された１つの入力を有している。アンドゲート２８４および２８６の残りの入力は、垂直同期信号が活性化されたときに、モード信号だけが赤色ビデオ信号に符号化されるように、ＸＯＲゲート２７０（図１０Ｂに示されている）の出力に結合されている。
　アンドゲート２８４および２８６の出力は、１対の抵抗２９０および２９２とそれぞれ直列に結合されている。抵抗２９０および２９２は、共通ノード２９１において一緒に結合されている。ノード２９１と接地との間には、抵抗２９３が接続されている。垂直同期信号が活性化するたびに、アンドゲート２８４および２８６は、ビデオモニタのモードに比例する電圧をノード２９１で生成する。比例電圧は、増幅器２９４の反転入力に供給される。増幅器２９４の非反転入力は、遠隔地コンピュータによって生成された赤色アナログビデオ信号を受信するために接続されている。垂直同期信号がその正常状態である場合、比較器２９４の出力信号は赤色アナログビデオ信号に従っている。しかしながら、垂直同期信号が活性化されたとき、モード信号は赤色ビデオ信号において符号化される。
　ビデオ信号が遠隔地サーバーコンピュータからアナログ交差点スイッチを介して遠隔地ワークステーションに送信された後、同期信号が緑色および青色ビデオ信号から抽出される。緑色ビデオ信号から水平同期信号を抽出するために、図１１Ａに示された回路が使用される。緑色信号は、クリッピング増幅器３０２の非反転入力に供給される出力信号を生成する差動受信機９０においてポッドによって受信される。増幅器３０２の出力信号は、ビデオモニタに供給される緑色アナログビデオ信号である。比較器３０４の非反転入力と差動受信機９０の出力との間には抵抗３０６が設けられている。比較器３０４の非反転出力と非反転入力との間には、フィードバック抵抗３０８が接続されている。比較器３０４の反転入力は、抵抗３１０および３１２によって定められる電圧駆動装置によって供給される一定の基準電圧に接続されている。差動受信機９０の出力信号の大きさが比較器３０４の反転入力で供給される電圧より下である場合、増幅器３０４の反転出力は正方向のパルスを生成する。正方向のパルスは、排他的オア（ＸＯＲ）ゲート３１４の入力に供給される。排他的オアゲート３１４の別の入力には、以下に説明するように赤色アナログビデオ信号から再生された水平モード（Ｈモード）信号が結合されている。ＸＯＲゲート３１４は、Ｈモード信号の値に応じて水平同期信号の極性を調節する。青色ビデオ信号から垂直同期信号を抽出するために必要とされる回路は、排他的オア（ＸＯＲ）ゲートが垂直同期信号の極性を調節するためにＶモード信号を受信することを除いて図１１Ａに示されている回路と同じである。
　ビデオモード信号を再生するために、本発明は図１１Ｂに示された回路を使用する。赤色ビデオ信号は、赤色アナログビデオ信号を生成する差動ライン受信機９０によってポッドにおいて受信される。差動ライン受信機９０の出力は１対の比較器３２０および３２４の反転入力に結合されている。垂直同期信号が活性化されたときに、比較器３２４だけが状態を変化させるように、比較器３２４は垂直同期パルスの立上りエッジによりトリガーされるワンショット装置３２６の出力によってゲート制御される。比較器３２４の非反転入力は、抵抗３２６および抵抗３２８で構成された電圧分圧装置によって生成された基準電圧を供給される。比較器３２０の反転入力は、抵抗３３０および抵抗３３２を含む電圧分圧装置によって生成された一定の電圧を供給される。
　比較器３２０の出力と比較器３２４の反転入力との間には、抵抗３３４が設けられている。最後に、比較器３２０の反転入力と比較器３２４の反転入力との間には、抵抗３３６が設けられている。
　モード抽出回路は、赤色ビデオ信号において符号化されたモード信号の大きさに依存する論理レベルを有するＨモードおよびＶモードの２つの信号を生成する。モード信号の大きさが０乃至−０．１５ボルトの場合、Ｈモード信号は低く、またＶモード信号も低い。モード信号が−０．１５乃至−０．２９ボルトの大きさを有している場合、Ｈモード信号は高く、Ｖモード信号は低いままである。モード信号の大きさが−０．２９乃至−０．４９ボルトである場合、Ｖモード信号が高く、Ｈモード信号は低い。モード信号の大きさが−０．４９ボルトより下である場合、Ｈモード信号およびＶモード信号は共に高い。認識されるように、異なる回路素子が使用された場合には、上記に与えられた値は異なるであろう。
　ビデオモード信号が赤色ビデオ信号から復号されると、ＨモードおよびＶモードの値は、図１１Ａに示されているＸＯＲゲートを使用して水平および垂直同期信号の極性を調節するために使用される。
　理解できるように、図１０Ａ乃至１０Ｃおよび１１Ａ、１１Ｂに示された回路は、信号が正規に使用されていない時に同期およびモード信号をカラービデオ信号に符号化することにより、遠隔地サーバーコンピュータとワークステーションとの間に延在しなければならないワイヤの本数を減少する。
　本発明の素子を説明したので、以下その動作を説明する。遠隔地コンピュータにワークステーションを接続するために、ユーザーは、中央交差点スイッチによりキーボード／マウス信号を遠隔地コンピュータの１つと結合させる命令を送る。上記に示されたように、命令は、“プリントスクリーン”と“エンター”のキーストローク間に挿入され、交差点スイッチの動作に影響を与える。ワークステーションに接続されたポッドは、これらのキーを検出し、出力カードの１つでＣＰＵにパケットを送信する。その後、ＣＰＵはリクエストを許可し、１６×１６デジタルおよびアナログスイッチ１８２および１８４（図６）の位置を設定するようにスイッチカードに命令を発するマスターＣＰＵにパケットを送信する。スイッチの位置が設定されると、マスターＣＰＵは接続が生じたことをコンピュータポッド７６に知らせる。その後、キーボード／マウス信号はパケット化され、交差点スイッチを通ってポッド間パケットとして送信される。遠隔地コンピュータからのビデオおよびオーディオ信号は、遠隔地コンピュータからワークステーションに送信される。
　上記に示されたように、本発明は、ユーザーがビデオモニタ上に表示されたプロンプトに応答してワークステーションから中央交差点スイッチに命令を送信することを可能にする能力を提供する。図２に示されたスクリーン上プログラミング回路９９は、ユーザーによって選択される命令のメニューを表示するビデオ信号を生成する。図１２Ａは、スクリーン上プログラミング回路９９の回路図である。この回路は、同期抽出回路９４（図２に示されている）によって供給された赤色、緑色および青色ビデオ信号に接続されたそれらの入力を有する１組の３状態バッファ３５２，３５４および３５６を含んでいる。３状態バッファが付勢されたとき、赤色、緑色および青色ビデオ信号はビデオモニタに送られる。３状態バッファ３５２，３５４および３５６が高インピーダンス状態にあるとき、以下に示すようにスクリーン上プログラミング回路３６４によってビデオ信号が生成される。
　スクリーン上プログラミング回路９９は、同期発生器３５８を使用してそれ自身の水平および垂直同期信号を生成する。生成された水平および垂直同期信号は、内部同期発生器３５８によって生成された同期信号、または遠隔地コンピュータから送信された緑色および青色ビデオ信号から再生された外部水平および垂直同期信号のいずれかを選択するスイッチ３６０に供給される。スイッチ３６０は、どの組の水平および垂直同期信号が選択されるかを決定するＣＰＵ８０（図２）に結合されている導線３６１で信号を受信する。スイッチ３６０によって選択された水平および垂直同期信号は、ユーザーのワークステーションのビデオモニタに供給される。スイッチ３６０の出力には、選択された水平および垂直同期信号の極性が活性のローであるように強制する同期ポラライザ３６２もまた接続されている。同期ポラライザ３６２の詳細は図１２Ｂに示されている。
　同期ポラライザは、１対の排他的オア（ＸＯＲ）ゲート４００および４０２を含んでいる。ＸＯＲゲート４００は、偏波されるべき同期信号に直接接続された１つの入力を有している。抵抗４０４は、同期信号とＸＯＲゲート４００の別の入力との間に接続されている。ＸＯＲゲート４００の第２の入力と接地との間には、キャパシタ４０６が接続されている。キャパシタ４０６の電圧は、同期信号の平均電圧である。ＸＯＲゲート４００の出力は、ＸＯＲゲート４０２の入力を供給する。ＸＯＲゲート４０２の別の入力は、高レベル論理信号に結合される。ＸＯＲゲート４０２の出力は、同期信号の正常状態がどうであっても同期信号が活性化されるたびに、負方向に変化するパルスである。
　同期ポラライザ３６２の出力は、スクリーン上プロセッサ３６４の水平および垂直同期入力に結合されている。スクリーン上プロセッサは、その内部ビデオＲＯＭメモリ中にプログラムされている１以上の文字数字記号を表示する赤色、緑色および青色信号を生成する。どの記号がビデオスクリーン上に位置されるかを書き取らせるために、ＣＰＵ８０は１対の導線３６３および３６５上に直列Ｉ２Ｃインターフェイス信号を発生する。これらの信号はビデオスクリーン上に表示されるべき内部ビデオＲＡＭ文字からプロセッサに検索させるスクリーン上プロセッサ３６４に供給される。スクリーン上プロセッサ３６４は２つの信号ＨＢＦＫおよびＨＴＯＮＥを供給し、それらがオーバーレイ（重書き）制御論理回路３６６に供給される。このオーバーレイ制御論理回路３６６には、ユーザーポッドのＣＰＵ８０からの４つの信号もまた供給される。これら４つの信号は、ＨＴｏｎｅエネーブル、ＯＳＤエネーブル、システム　ビデオ　エネーブルおよびトランスペアラントである。オーバーレイ制御論理回路３６６は、これらの論理信号の値を読取って、３状態バッファ３５２，３５４および３５６に関して１組の３状態バッファ３６８，３７０および３７２をエネーブルまたはディスエーブルする。これらの３状態バッファ３６８，３７０および３７２は、モニタのカラー入力に接続された導線にスクリーン上プロセッサ３６４の出力を結合する。
　３状態バッファ３５２　３５４および３５６が高インピーダンス状態であり、かつ３状態バッファ３６８，３７０および３７２が活性化されている場合、ビデオスクリーンはスクリーン上プロセッサ３６４によって生成されたこれらの信号だけを表示する。反対に、３状態バッファ３６８，３７０および３７２が高インピーダンス状態であり、かつ３状態バッファ３５２　３５４および３５６が活性化されている場合は、モニタは、遠隔地コンピュータシステムによって生成されたビデオ信号を表示する。３状態バッファ３６８，３７０および３７２と３５２，３５４および３５６の両組が共に活性化されている場合には、モニタはスクリーン上プロセッサおよび遠隔地コンピュータシステムの両方によって生成されたビデオ信号を表示する。末尾にオーバーレイ制御論理回路３６６の論理を規定した表を示す。この表を有するオーバーレイ（重書き）制御論理回路３６６の構造は、通常のデジタル電子工学の技術者の技術的範囲内にあると考えられる。
　スクリーン上プログラミング表示装置を付勢するために、ユーザーは“プリントスクリーン”キーを押すことによってエスケープシーケンスを開始する。ユーザーポッド内のＣＰＵはこのキーを認識して、ビデオスクリーン上にメニューを生成する。ユーザーはキーボードをタイプするか、或はマウスを動かすことによってメニューから１以上の項目を選択する。ＣＰＵは、中央交差点スイッチに送信されるべき命令としてこれらのマウス／キーボード入力を変換する。ユーザーが“エンタ”キーを付勢することによって命令を終了させると、ＣＰＵは、ユーザーが異なるコンピュータに接続したり、また異なるコンピュータの状態を監視すること等を可能にする中央交差点スイッチに送信されるべき１以上のパケットを生成することができる。
　認められるように、本発明は、ユーザーが中央のワークステーションから３２個の遠隔地に設置されたコンピュータの任意のものにアクセスすることを可能にする。このシステムは、ネットワークが故障した場合、ユーザーが各サーバーコンピュータに依然としてアクセスできるように、ネットワークから独立して動作する。さらに、ポッドは異なるキーボード／モニタタイプと異なるコンピュータとの間の変換装置として動作する。全てのポッド間パケットが同じフォーマットを有しているため、従来は適合不能であった装置が容易に結合されることができる。
　本発明の好ましい実施形態が図示され、説明されてきたが、本発明の技術的範囲内において種々の変更を行うことができることが理解されるであろう。例えば、本発明は、システム管理を目的としてワークステーションを遠隔地に配置されたコンピュータに接続することに関して記載されているが、本発明はそれ以外の用途にも使用されることが理解されるであろう。例えば、高価なコンピュータ装置は、比較的安価な端末装置から離されて配置されることが望ましい。したがって、本発明は、学生が１以上のワークステーションから遠隔地に設置されたコンピュータを動作させることを可能にすることが望ましい大学の講義において使用されることが可能である。本発明には、コンピュータ表示装置およびデータ入力装置から計算装置を分離することが望ましい種々の用途において使用される。したがって、本発明の技術的範囲は以下の請求の範囲によってのみ限定されるものである。